(57)【要約】      （修正有）【課題】セレクティッドインターネットプロトコル（ＩＰ）トラフィックオフロード（ＳＩＰＴＯ）、ローカルＩＰアクセス（ＬＩＰＡ）モビリティーのための方法及び装置を提供する。【解決手段】Ｈ（ｅ）ＮＢおよび／またはＬ−ＧＷは、１つまたは複数のローカルＨ（ｅ）ＮＢネットワーク（ＬＨＮ）に属することができる。ＷＴＲＵは、Ｌ−ＧＷから１つまたは複数のＨ（ｅ）ＮＢを介してＳＩＰＴＯまたはＬＩＰＡサービスを含むサービスを受信することができる。【選択図】図６
2018137759.tif 000002
【特許請求の範囲】
【請求項１】
無線送信／受信ユニット（ＷＴＲＵ）で用いる方法であって、
ローカルホーム基地局（ＢＳ）（ＨＮＢ）ネットワーク（ＬＨＮ）に属する第１のＢＳを介してローカルゲートウェイ（Ｌ−ＧＷ）からサービスを受信するステップと、
少なくとも前記ＬＨＮに関する情報を含むＬＨＮリストを保持するステップと、
前記ＬＨＮに関する情報、および、第２のＢＳが前記Ｌ−ＧＷから前記サービスを提供できるかどうかを示している情報を含むメッセージを受信するステップであって、前記第２のＢＳは、前記ＬＨＮに属し、および、前記Ｌ−ＧＷと通信するように構成され、ならびに前記第２のＢＳが前記サービスを提供できるかどうかを示している前記情報は、前記ＢＳがクローズドサブスクライバーグループ（ＣＳＧ）をサービスするかどうかを示している情報とは異なる、ステップと、
前記第２のＢＳが前記サービスを提供でき、および、前記第２のＢＳが少なくとも前記ＬＨＮに関する前記情報において識別されたという条件で、前記第１のＢＳのセルから前記第２のＢＳのセルへ移動している前記ＷＴＲＵに対するサービス継続を実行するステップと、
前記第２のＢＳの前記セルを介して前記Ｌ−ＧＷから前記サービスを受信するステップと
を備えたことを特徴とする方法。
【発明の詳細な説明】
【技術分野】
【０００１】
本発明は、無線通信に関する。
【背景技術】
【０００２】
（関連出願の相互参照）
本出願は、２０１１年７月１日に出願された米国特許仮出願第６１／５０３，７１１号明細書の利益を主張するものであり、その内容は、参照によって本明細書に組み込まれている。
【０００３】
セレクティッドインターネットプロトコル（ＩＰ）トラフィックオフロード（ＳＩＰＴＯ）とは、ワイヤレス通信システムオペレータのコアネットワーク（ＣＮ）から、ワイヤレス送信受信ユニット（ＷＴＲＵ）のアクセスポイントへの接続のポイントに近い定義されたＩＰネットワークへトラフィックをオフロードするための方法である。トラフィックは、ＷＴＲＵの地理的な（またはＩＰの点からはトポロジー上の）ロケーションに基づいて別のパスへオフロードされることが可能である。したがって、ＳＩＰＴＯの目的は、ＣＮにおいて横切るノードからＩＰトラフィックのうちのいくらかをオフロードすることである。ローカルＩＰアクセス（ＬＩＰＡ）とは、Ｈ（ｅ）ＮＢを介して（たとえば、Ｈ（ｅ）ＮＢ無線アクセスを使用して）同じ家庭用または企業ＩＰネットワーク内のその他のＩＰ対応エンティティーに接続されているＩＰ対応ＷＴＲＵのためのアクセスを提供するための方法である。ＬＩＰＡのためのトラフィックは、典型的には、Ｈ（ｅ）ＮＢにおける特定の情報にアクセスすることを除いて、モバイルオペレータのネットワークを横切ることはない。ＷＴＲＵのために確立されたパケットデータネットワーク（ＰＤＮ）接続が、ＳＩＰＴＯおよび／またはＬＩＰＡのために使用されることが可能であり、ＷＴＲＵは、ＳＩＰＴＯおよび／またはＬＩＰＡの使用に気づかない。
【０００４】
ＳＩＰＴＯまたはＬＩＰＡサービスを提供することができるワイヤレスネットワークにおいては、ローカルゲートウェイ（Ｌ−ＧＷ）が、Ｈ（ｅ）ＮＢから切り離して配置されることが可能である。したがってＷＴＲＵは、依然として１つのＬ−ＧＷへの接続を保持しながらＨ（ｅ）ＮＢの間を移動することができる。したがってＷＴＲＵは、Ｈ（ｅ）ＮＢの間を移動している間にＳＩＰＴＯまたはＬＩＰＡサービスを引き続き受けることができる。ローカルＨ（ｅ）ＮＢネットワーク（ＬＨＮ）とは、所与のＬ−ＧＷと通信状態にある１または複数のＨ（ｅ）ＮＢを含むネットワークである。ＬＨＮは、複数のクローズドサブスクライバーグループ（ＣＳＧ）に属するＨ（ｅ）ＮＢを含むこともできる。Ｌ−ＧＷをＨ（ｅ）ＮＢから切り離すこと、および複数のＨ（ｅ）ＮＢの間におけるＷＴＲＵの潜在的なハンドオーバに基づいて、Ｈ（ｅ）ＮＢの間におけるＷＴＲＵモビリティーをサポートするための、およびＷＴＲＵモビリティー中にＳＩＰＴＯおよび／またはＬＩＰＡサービスをサポートするための方法が必要とされている。
【発明の概要】
【０００５】
ローカルゲートウェイ（Ｌ−ＧＷ）と通信するように構成されているＨｏｍｅ（ｅｖｏｌｖｅｄ）Ｎｏｄｅ  Ｂ（Ｈ（ｅ）ＮＢ）の間におけるワイヤレス送信／受信ユニット（ＷＴＲＵ）モビリティーをサポートするための方法および装置が説明される。Ｈ（ｅ）ＮＢおよび／またはＬ−ＧＷは、１または複数のローカルＨ（ｅ）ＮＢネットワーク（ＬＨＮ）に属することができる。ＷＴＲＵは、Ｌ−ＧＷから１または複数のＨ（ｅ）ＮＢを介してセレクティッドインターネットプロトコル（ＩＰ）トラフィックオフロード（ＳＩＰＴＯ）またはローカルＩＰアクセス（ＬＩＰＡ）サービスを含むサービスを受信することができる。ＷＴＲＵは、同じＬ−ＧＷと通信することが可能な、および同じＬＨＮに属することが可能な別のＨ（ｅ）ＮＢへのハンドオーバの後に、ＳＩＰＴＯまたはＬＩＰＡサービスを引き続き受信することができる。ＷＴＲＵは、ＷＴＲＵがＨ（ｅ）ＮＢの間において、および／またはＬＨＮの外へ移動する際にＳＩＰＴＯまたはＬＩＰＡサービスの継続性を可能にするために、ＬＨＮまたはＬ−ＧＷに関連した情報を受信することができる。ＷＴＲＵは、１または複数のＬＨＮリストを受信および／または保持することができる。
【図面の簡単な説明】
【０００６】
以降の説明から、より詳細な理解が得られることが可能であり、以降の説明は、例として添付の図面とともに与えられている。
【図１Ａ】１または複数の開示されている実施形態が実施されることが可能である例示的な通信システムを示す図である。
【図１Ｂ】図１Ａにおいて示されている通信システム内で使用されることが可能である例示的なワイヤレス送信／受信ユニット（ＷＴＲＵ）を示す図である。
【図１Ｃ】図１Ａにおいて示されている通信システム内で使用されることが可能である例示的な無線アクセスネットワークおよび例示的なコアネットワーク（ＣＮ）を示す図である。
【図２】セレクティッドＩＰトラフィックオフロード（ＳＩＰＴＯ）を実行するように構成されているワイヤレスネットワークの例示的なアーキテクチャーを示す図である。
【図３】ローカルＩＰアクセス（ＬＩＰＡ）サービスを提供するように構成されている例示的なワイヤレスネットワークを示す図である。
【図４】ＳＩＰＴＯまたはＬＩＰＡサービスを実行するように構成されているワイヤレスネットワークの例を示す図である。
【図５】複数のローカルＨ（ｅ）ＮＢネットワーク（ＬＨＮ）を含むワイヤレスネットワークの例を示す図である。
【図６】同じＬ−ＧＷに接続している複数のＨ（ｅ）ＮＢの間におけるＷＴＲＵモビリティーの例を示す図である。
【図７】ＳＩＰＴＯまたはＬＩＰＡサービスを提供するように構成されているスタンドアロンの論理Ｌ−ＧＷを伴う例示的なワイヤレスネットワークを示す図である。
【図８】ＳＩＰＴＯまたはＬＩＰＡサービスを提供するように構成されているスタンドアロンの論理Ｌ−ＧＷを伴う例示的なワイヤレスネットワークを示す図である。
【図９】ＳＩＰＴＯまたはＬＩＰＡサービスを提供するように構成されているスタンドアロンの論理Ｌ−ＧＷを伴う例示的なワイヤレスネットワークを示す図である。
【図１０】Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワークを示す図である。
【図１１】Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワークを示す図である。
【図１２】Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワークを示す図である。
【図１３】許可済みＬＨＮリストの例を示す図である。
【図１４】成功したＬ−ＧＷ登録手順に関する例示的なコールフロー図である。
【図１５】成功しなかったＬ−ＧＷ登録手順に関する例示的なコールフロー図である。
【図１６】Ｌ−ＧＷにおいて始まるＬ−ＧＷ登録解除手順に関する例示的なコールフロー図である。
【図１７】Ｈ（ｅ）ＮＢゲートウェイ（ＧＷ）において始まるＬ−ＧＷ登録解除手順に関する例示的なコールフロー図である。
【発明を実施するための形態】
【０００７】
以降で言及される際には、「ワイヤレス送信／受信ユニット（ＷＴＲＵ）」という用語は、ユーザ、ユーザ機器（ＵＥ）、移動局、固定式もしくは移動式のサブスクライバーユニット、ページャー、セルラー電話、携帯情報端末（ＰＤＡ）、コンピュータ、または、ワイヤレス環境において機能することができるその他の任意のタイプのユーザデバイスを含むが、それらには限定されない。以降で言及される際には、「基地局」という用語は、Ｎｏｄｅ−Ｂ、ｅｖｏｌｖｅｄ  Ｎｏｄｅ−Ｂ（ｅＮＢ）、サイトコントローラ、アクセスポイント（ＡＰ）、または、ワイヤレス環境において機能することができるその他の任意のタイプのインターフェーシングデバイスを含むが、それらには限定されない。
【０００８】
図１Ａは、１または複数の開示されている実施形態が実施されることが可能である例示的な通信システム１００の図である。通信システム１００は、コンテンツ、たとえば音声、データ、ビデオ、メッセージング、放送などを複数のワイヤレスユーザに提供するマルチプルアクセスシステムであることが可能である。通信システム１００は、複数のワイヤレスユーザが、ワイヤレス帯域幅を含むシステムリソースの共有を通じてそのようなコンテンツにアクセスすることを可能にできる。たとえば、通信システム１００は、１または複数のチャネルアクセス方法、たとえば符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などを採用することができる。
【０００９】
図１Ａにおいて示されているように、通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、およびその他のネットワーク１１２を含むことができるが、開示されている実施形態は、任意の数のＷＴＲＵ、基地局、ネットワーク、および／またはネットワーク要素を想定していることが理解されるであろう。ＷＴＲＵ１０２ａ、１０２ｂ、１０２ｃ、１０２ｄのそれぞれは、ワイヤレス環境において動作および／または通信を行うように構成されている任意のタイプのデバイスであることが可能である。例として、ＷＴＲＵ１０２ａ、１０２ｂ、１０２ｃ、１０２ｄは、ワイヤレス信号を送信および／または受信するように構成されることが可能であり、ユーザ機器（ＵＥ）、移動局、固定式または移動式のサブスクライバーユニット、ページャー、セルラー電話、携帯情報端末（ＰＤＡ）、スマートフォン、ラップトップ、ネットブック、パーソナルコンピュータ、ワイヤレスセンサ、家庭用電化製品などを含むことができる。
【００１０】
通信システム１００は、基地局１１４ａおよび基地局１１４ｂを含むこともできる。基地局１１４ａ、１１４ｂのそれぞれは、コアネットワーク１０６、インターネット１１０、および／またはその他のネットワーク１１２などの１または複数の通信ネットワークへのアクセスを容易にするために、ＷＴＲＵ１０２ａ、１０２ｂ、１０２ｃ、１０２ｄのうちの少なくとも１つとワイヤレスにインターフェースを取るように構成されている任意のタイプのデバイスであることが可能である。例として、基地局１１４ａ、１１４ｂは、ベーストランシーバステーション（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、ワイヤレスルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことができることが理解されるであろう。
【００１１】
基地局１１４ａは、ＲＡＮ１０４の一部であることが可能であり、ＲＡＮ１０４は、その他の基地局および／またはネットワーク要素（図示せず）、たとえば基地局コントローラ（ＢＳＣ）、無線ネットワークコントローラ（ＲＮＣ）、中継ノードなどを含むこともできる。基地局１１４ａおよび／または基地局１１４ｂは、特定の地理的領域内でワイヤレス信号を送信および／または受信するように構成されることが可能であり、その地理的領域は、セル（図示せず）と呼ばれることもある。セルは、セルセクタへとさらに分割されることが可能である。たとえば、基地局１１４ａに関連付けられているセルは、３つのセクタへと分割されることが可能である。したがって一実施形態においては、基地局１１４ａは、３つのトランシーバ、すなわち、セルのそれぞれのセクタごとに１つのトランシーバを含むことができる。別の実施形態においては、基地局１１４ａは、多入力多出力（ＭＩＭＯ）テクノロジーを採用することができ、したがって、セルのそれぞれのセクタごとに複数のトランシーバを利用することができる。
【００１２】
基地局１１４ａ、１１４ｂは、エアインターフェース１１６を介してＷＴＲＵ１０２ａ、１０２ｂ、１０２ｃ、１０２ｄのうちの１または複数と通信することができ、エアインターフェース１１６は、任意の適切なワイヤレス通信リンク（たとえば、無線周波数（ＲＦ）、マイクロ波、赤外線（ＩＲ）、紫外線（ＵＶ）、可視光など）であることが可能である。エアインターフェース１１６は、任意の適切な無線アクセステクノロジー（ＲＡＴ）を使用して確立されることが可能である。
【００１３】
より具体的には、上述したように、通信システム１００は、マルチプルアクセスシステムであることが可能であり、１または複数のチャネルアクセススキーム、たとえばＣＤＭＡ、ＴＤＭＡ、ＦＤＭＡ、ＯＦＤＭＡ、ＳＣ−ＦＤＭＡなどを採用することができる。たとえば、ＲＡＮ１０４内の基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実施することができ、この無線テクノロジーは、ワイドバンドＣＤＭＡ（ＷＣＤＭＡ（登録商標））を使用してエアインターフェース１１６を確立することができる。ＷＣＤＭＡは、ハイスピードパケットアクセス（ＨＳＰＡ）および／またはエボルブドＨＳＰＡ（ＨＳＰＡ＋）などの通信プロトコルを含むことができる。ＨＳＰＡは、ハイスピードダウンリンクパケットアクセス（ＨＳＤＰＡ）および／またはハイスピードアップリンクパケットアクセス（ＨＳＵＰＡ）を含むことができる。
【００１４】
別の実施形態においては、基地局１１４ａおよびＷＴＲＵ１０２ａ、１０２ｂ、１０２ｃは、エボルブドＵＭＴＳテレストリアルラジオアクセス（Ｅ−ＵＴＲＡ）などの無線テクノロジーを実施することができ、この無線テクノロジーは、ロングタームエボリューション（ＬＴＥ）および／またはＬＴＥアドバンスト（ＬＴＥ−Ａ）を使用してエアインターフェース１１６を確立することができる。
【００１５】
その他の実施形態においては、基地局１１４ａおよびＷＴＲＵ１０２ａ、１０２ｂ、１０２ｃは、無線テクノロジー、たとえばＩＥＥＥ  ８０２．１６（すなわちワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイルコミュニケーションズ（ＧＳＭ（登録商標））、エンハンストデータレートフォーＧＳＭエボリューション（ＥＤＧＥ）、ＧＳＭ  ＥＤＧＥ（ＧＥＲＡＮ）などを実施することができる。
【００１６】
図１Ａにおける基地局１１４ｂは、たとえばワイヤレスルータ、Ｈｏｍｅ  Ｎｏｄｅ  Ｂ、Ｈｏｍｅ  ｅＮｏｄｅ  Ｂ、またはアクセスポイントであることが可能であり、局所的なエリア、たとえば事業所、家庭、乗り物、キャンパスなどにおけるワイヤレス接続を容易にするために、任意の適切なＲＡＴを利用することができる。一実施形態においては、基地局１１４ｂおよびＷＴＲＵ１０２ｃ、１０２ｄは、ワイヤレスローカルエリアネットワーク（ＷＬＡＮ）を確立するために、ＩＥＥＥ  ８０２．１１などの無線テクノロジーを実施することができる。別の実施形態においては、基地局１１４ｂおよびＷＴＲＵ１０２ｃ、１０２ｄは、ワイヤレスパーソナルエリアネットワーク（ＷＰＡＮ）を確立するために、ＩＥＥＥ  ８０２．１５などの無線テクノロジーを実施することができる。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａなど）を利用することができる。図１Ａにおいて示されているように、基地局１１４ｂは、インターネット１１０への直接接続を有することができる。したがって、基地局１１４ｂは、コアネットワーク１０６を介してインターネット１１０にアクセスすることを求められないことが可能である。
【００１７】
ＲＡＮ１０４は、コアネットワーク１０６と通信状態にあることが可能であり、コアネットワーク１０６は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１または複数に提供するように構成されている任意のタイプのネットワークであることが可能である。たとえば、コアネットワーク１０６は、コール制御、課金サービス、モバイルロケーションベースサービス、プリペイドコーリング、インターネット接続、ビデオ配信などを提供すること、および／またはユーザ認証などのハイレベルセキュリティー機能を実行することが可能である。図１Ａにおいては示されていないが、ＲＡＮ１０４および／またはコアネットワーク１０６は、ＲＡＮ１０４と同じＲＡＴまたは異なるＲＡＴを採用しているその他のＲＡＮと直接または間接の通信状態にあることが可能であることが理解されるであろう。たとえば、コアネットワーク１０６は、Ｅ−ＵＴＲＡ無線テクノロジーを利用している可能性があるＲＡＮ１０４に接続されていることに加えて、ＧＳＭ無線テクノロジーを採用している別のＲＡＮ（図示せず）と通信状態にあることも可能である。
【００１８】
コアネットワーク１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとして機能することもできる。ＰＳＴＮ１０８は、単純旧式電話サービス（ＰＯＴＳ）を提供する回路交換電話ネットワークを含むことができる。インターネット１１０は、ＴＣＰ／ＩＰインターネットプロトコルスイートにおけるトランスミッションコントロールプロトコル（ＴＣＰ）、ユーザデータグラムプロトコル（ＵＤＰ）、およびインターネットプロトコル（ＩＰ）など、共通の通信プロトコルを使用する相互接続されたコンピュータネットワークおよびデバイスからなるグローバルシステムを含むことができる。ネットワーク１１２は、その他のサービスプロバイダによって所有および／または運営されている有線またはワイヤレスの通信ネットワークを含むことができる。たとえば、ネットワーク１１２は、ＲＡＮ１０４と同じＲＡＴまたは異なるＲＡＴを採用している可能性がある１または複数のＲＡＮに接続されている別のコアネットワークを含むことができる。
【００１９】
通信システム１００内のＷＴＲＵ１０２ａ、１０２ｂ、１０２ｃ、１０２ｄのうちのいくつかまたはすべては、マルチモード機能を含むことができ、すなわち、ＷＴＲＵ１０２ａ、１０２ｂ、１０２ｃ、１０２ｄは、別々のワイヤレスリンクを介して別々のワイヤレスネットワークと通信するために複数のトランシーバを含むことができる。たとえば、図１Ａにおいて示されているＷＴＲＵ１０２ｃは、セルラーベースの無線テクノロジーを採用している可能性がある基地局１１４ａ、およびＩＥＥＥ  ８０２無線テクノロジーを採用している可能性がある基地局１１４ｂと通信するように構成されることが可能である。
【００２０】
図１Ｂは、例示的なＷＴＲＵ１０２のシステム図である。図１Ｂにおいて示されているように、ＷＴＲＵ１０２は、プロセッサ１１８、トランシーバ１２０、送信／受信要素１２２、スピーカー／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、およびその他の周辺機器１３８を含むことができる。ＷＴＲＵ１０２は、一実施形態との整合性を保持しながら、上述の要素の任意の下位の組合せを含むことができることが理解されるであろう。
【００２１】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアと関連付けられている１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることが可能である。プロセッサ１１８は、信号コーディング、データ処理、電力制御、入力／出力処理、および／または、ＷＴＲＵ１０２がワイヤレス環境において機能することを可能にするその他の任意の機能を実行することができる。プロセッサ１１８は、トランシーバ１２０に結合されることが可能であり、トランシーバ１２０は、送信／受信要素１２２に結合されることが可能である。図１Ｂは、プロセッサ１１８とトランシーバ１２０とを別々のコンポーネントとして示しているが、プロセッサ１１８とトランシーバ１２０とは、１つの電子パッケージまたはチップ内に統合されることが可能であることが理解されるであろう。
【００２２】
送信／受信要素１２２は、エアインターフェース１１６を介して、基地局（たとえば、基地局１１４ａ）に信号を送信するように、または基地局（たとえば、基地局１１４ａ）から信号を受信するように構成されることが可能である。たとえば、一実施形態においては、送信／受信要素１２２は、ＲＦ信号を送信および／または受信するように構成されているアンテナであることが可能である。別の実施形態においては、送信／受信要素１２２は、たとえば、ＩＲ信号、ＵＶ信号、または可視光信号を送信および／または受信するように構成されているエミッタ／検知器であることが可能である。さらに別の実施形態においては、送信／受信要素１２２は、ＲＦ信号と光信号との両方を送信および受信するように構成されることが可能である。送信／受信要素１２２は、ワイヤレス信号の任意の組合せを送信および／または受信するように構成されることが可能であることが理解されるであろう。
【００２３】
加えて、送信／受信要素１２２は、図１Ｂにおいては単一の要素として示されているが、ＷＴＲＵ１０２は、任意の数の送信／受信要素１２２を含むことができる。より具体的には、ＷＴＲＵ１０２は、ＭＩＭＯテクノロジーを採用することができる。したがって、一実施形態においては、ＷＴＲＵ１０２は、エアインターフェース１１６を介してワイヤレス信号を送信および受信するために、複数の送信／受信要素１２２（たとえば、複数のアンテナ）を含むことができる。
【００２４】
トランシーバ１２０は、送信／受信要素１２２によって送信されることになる信号を変調するように、また、送信／受信要素１２２によって受信される信号を復調するように構成されることが可能である。上述したように、ＷＴＲＵ１０２は、マルチモード機能を有することができる。したがってトランシーバ１２０は、ＷＴＲＵ１０２が、たとえばＵＴＲＡおよびＩＥＥＥ  ８０２．１１など、複数のＲＡＴを介して通信することを可能にするために複数のトランシーバを含むことができる。
【００２５】
ＷＴＲＵ１０２のプロセッサ１１８は、スピーカー／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合されることが可能であり、そこからユーザ入力データを受け取ることができる。プロセッサ１１８は、ユーザデータをスピーカー／マイクロフォン１２４、キーパッド１２６、および／またはディスプレイ／タッチパッド１２８へ出力することもできる。加えて、プロセッサ１１８は、取り外し不能メモリ１３０および／または取り外し可能メモリ１３２など、任意のタイプの適切なメモリからの情報にアクセスすること、およびそれらのメモリにデータを格納することが可能である。取り外し不能メモリ１３０は、ランダムアクセスメモリ（ＲＡＭ）、読み取り専用メモリ（ＲＯＭ）、ハードディスク、またはその他の任意のタイプのメモリストレージデバイスを含むことができる。取り外し可能メモリ１３２は、サブスクライバーアイデンティティーモジュール（ＳＩＭ）カード、メモリスティック、セキュアデジタル（ＳＤ）メモリカードなどを含むことができる。その他の実施形態においては、プロセッサ１１８は、サーバまたはホームコンピュータ（図示せず）上など、ＷＴＲＵ１０２上に物理的に配置されていないメモリからの情報にアクセスすること、およびそのメモリにデータを格納することが可能である。
【００２６】
プロセッサ１１８は、電源１３４から電力を受け取ることができ、また、ＷＴＲＵ１０２内のその他のコンポーネントへの電力を分配および／または制御するように構成されることが可能である。電源１３４は、ＷＴＲＵ１０２に電力供給するための任意の適切なデバイスであることが可能である。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２７】
プロセッサ１１８は、ＧＰＳチップセット１３６に結合されることも可能であり、ＧＰＳチップセット１３６は、ＷＴＲＵ１０２の現在位置に関する位置情報（たとえば、経度および緯度）を提供するように構成されることが可能である。ＷＴＲＵ１０２は、ＧＰＳチップセット１３６からの情報に加えて、またはその情報の代わりに、基地局（たとえば、基地局１１４ａ、１１４ｂ）からエアインターフェース１１６を介して位置情報を受信すること、および／または複数の近隣の基地局から受信されている信号のタイミングに基づいてＷＴＲＵ１０２の位置を特定することが可能である。ＷＴＲＵ１０２は、一実施形態との整合性を保持しながら、任意の適切な位置特定方法を通じて位置情報を得ることができることが理解されるであろう。
【００２８】
プロセッサ１１８は、その他の周辺機器１３８にさらに結合されることが可能であり、その他の周辺機器１３８は、さらなる特徴、機能、および／または有線接続もしくはワイヤレス接続を提供する１つまたは複数のソフトウェアモジュールおよび／またはハードウェアモジュールを含むことができる。たとえば、周辺機器１３８は、加速度計、ｅ−コンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザなどを含むことができる。
【００２９】
図１Ｃは、一実施形態によるＲＡＮ１０４およびコアネットワーク１０６のシステム図である。上述したように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することができる。ＲＡＮ１０４は、コアネットワーク１０６と通信状態にあることも可能である。
【００３０】
ＲＡＮ１０４は、ｅＮｏｄｅ−Ｂ１４０ａ、１４０ｂ、１４０ｃを含むことができるが、ＲＡＮ１０４は、一実施形態との整合性を保持しながら、任意の数のｅＮｏｄｅ−Ｂを含むことができることが理解されるであろう。ｅＮｏｄｅ−Ｂ１４０ａ、１４０ｂ、１４０ｃはそれぞれ、エアインターフェース１１６を介してＷＴＲＵ１０２ａ、１０２ｂ、１０２ｃと通信するために１つまたは複数のトランシーバを含むことができる。一実施形態においては、ｅＮｏｄｅ−Ｂ１４０ａ、１４０ｂ、１４０ｃは、ＭＩＭＯテクノロジーを実施することができる。したがって、ｅＮｏｄｅ−Ｂ１４０ａは、たとえば、ＷＴＲＵ１０２ａにワイヤレス信号を送信するために、およびＷＴＲＵ１０２ａからワイヤレス信号を受信するために、複数のアンテナを使用することができる。
【００３１】
ｅＮｏｄｅ−Ｂ１４０ａ、１４０ｂ、１４０ｃのそれぞれは、特定のセル（図示せず）に関連付けられることが可能であり、無線リソース管理決定、ハンドオーバ決定、アップリンクおよび／またはダウンリンクにおけるユーザのスケジューリングなどを取り扱うように構成されることが可能である。図１Ｃにおいて示されているように、ｅＮｏｄｅ−Ｂ１４０ａ、１４０ｂ、１４０ｃは、Ｘ２インターフェースを介して互いに通信することができる。
【００３２】
図１Ｃにおいて示されているコアネットワーク１０６は、モビリティー管理ゲートウェイ（ＭＭＥ）１４２、サービングゲートウェイ１４４、およびパケットデータネットワーク（ＰＤＮ）ゲートウェイ１４６を含むことができる。上述の要素のうちのそれぞれは、コアネットワーク１０６の一部として示されているが、これらの要素のいずれかが、コアネットワークオペレータ以外のエンティティーによって所有および／または運営されることも可能であることが理解されるであろう。
【００３３】
ＭＭＥ１４２は、Ｓ１インターフェースを介してＲＡＮ１０４内のｅＮｏｄｅ−Ｂ１４２ａ、１４２ｂ、１４２ｃのそれぞれに接続されることが可能であり、コントロールノードとして機能することができる。たとえば、ＭＭＥ１４２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの最初の接続中に特定のサービングゲートウェイを選択することなどを担当することができる。ＭＭＥ１４２は、ＲＡＮ１０４と、ＧＳＭまたはＷＣＤＭＡなどのその他の無線テクノロジーを採用しているその他のＲＡＮ（図示せず）との間における切り替えを行うためのコントロールプレーン機能を提供することもできる。
【００３４】
サービングゲートウェイ１４４は、Ｓ１インターフェースを介してＲＡＮ１０４内のｅＮｏｄｅ−Ｂ１４０ａ、１４０ｂ、１４０ｃのそれぞれに接続されることが可能である。サービングゲートウェイ１４４は一般に、ユーザデータパケットをＷＴＲＵ１０２ａ、１０２ｂ、１０２ｃへ／ＷＴＲＵ１０２ａ、１０２ｂ、１０２ｃから回送および転送することができる。サービングゲートウェイ１４４は、ＳＩＰＴＯまたはＬＩＰＡサービスを実行するように構成されることが可能である。サービングゲートウェイ１４４は、その他の機能、たとえば、ｅＮｏｄｅ  Ｂ間でのハンドオーバ中にユーザプレーンを固定すること、ＷＴＲＵ１０２ａ、１０２ｂ、１０２ｃにとってダウンリンクデータが利用可能である場合にページングをトリガーすること、ＷＴＲＵ１０２ａ、１０２ｂ、１０２ｃのコンテキストを管理および記憶することなどを実行することもできる。
【００３５】
サービングゲートウェイ１４４は、ＰＤＮゲートウェイ１４６に接続されることも可能であり、ＰＤＮゲートウェイ１４６は、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することができる。
【００３６】
コアネットワーク１０６は、その他のネットワークとの通信を容易にすることができる。たとえば、コアネットワーク１０６は、ＷＴＲＵ１０２ａ、１０２ｂ、１０２ｃと従来の固定電話通信デバイスとの間における通信を容易にするために、ＰＳＴＮ１０８などの回路交換ネットワークへのアクセスをＷＴＲＵ１０２ａ、１０２ｂ、１０２ｃに提供することができる。たとえば、コアネットワーク１０６は、コアネットワーク１０６とＰＳＴＮ１０８との間におけるインターフェースとして機能するＩＰゲートウェイ（たとえば、ＩＰマルチメディアサブシステム（ＩＭＳ）サーバ）を含むことができ、またはそうしたＩＰゲートウェイと通信することができる。加えて、コアネットワーク１０６は、ネットワーク１１２へのアクセスをＷＴＲＵ１０２ａ、１０２ｂ、１０２ｃに提供することができ、ネットワーク１１２は、その他のサービスプロバイダによって所有および／または運営されているその他の有線またはワイヤレスのネットワークを含むことができる。
【００３７】
セレクティッドインターネットプロトコル（ＩＰ）トラフィックオフロード（ＳＩＰＴＯ）およびローカルＩＰアクセス（ＬＩＰＡ）サービスは、任意のタイプのネットワークにおいて提供されることが可能であり、任意のタイプの無線アクセステクノロジーを使用することができる。たとえば、ＳＩＰＴＯおよびＬＩＰＡは、ユニバーサルモバイルテレフォンシステム（ＵＭＴＳ）テレストリアルラジオアクセスネットワーク（ＵＴＲＡＮ）ならびにＬＴＥネットワークにおいて使用されることが可能である。ＵＴＲＡＮまたはＬＴＥネットワークにおいてＳＩＰＴＯおよびＬＩＰＡのために使用されるアーキテクチャーは、同様のものであることが可能である。したがって、本明細書における説明は、特定のテクノロジーに言及する場合があるが、それらの説明は、例示的な目的のためのものにすぎず、それらの説明は、ＳＩＰＴＯまたはＬＩＰＡサービスを使用することができる任意のテクノロジーに適用されることが可能であることを当業者なら理解するであろう。
【００３８】
上述したように、ＳＩＰＴＯとは、ＣＮから、定義されたＩＰネットワークへトラフィックをオフロードするための方法である。データプレーンに関してコアネットワークへの参照が行われる場合には、考慮されるノードは、たとえば、ＬＴＥに準拠したシステムにおけるサービングゲートウェイ（Ｓ−ＧＷ）およびパケットデータネットワーク（ＰＤＮ）ゲートウェイ（Ｐ−ＧＷ）、またはＵＴＲＡＮにおけるサービングジェネラルパケットラジオサービス（ＧＰＲＳ）サポートノード（ＳＧＳＮ）およびゲートウェイＧＰＲＳサポートノード（ＧＧＳＮ）を含むことができるが、本明細書における開示は、いかなる１つのネットワークアーキテクチャーまたはテクノロジーにも限定されない。ＳＩＰＴＯは、ＷＴＲＵが、オフロードされたトラフィックと、オペレータのネットワークを通るオフロードされていない（非ＳＩＰＴＯ）トラフィックとの両方を処理することを必要とする場合がある。ＳＩＰＴＯは、たとえば、ＵＴＲＡＮ、エボルブドＵＴＲＡＮ（Ｅ−ＵＴＲＡＮ）、および／または、ｈｏｍｅ  ｅＮｏｄｅＢ（ＨｅＮＢ）を伴うマクロセルにおいて使用されることが可能である。
【００３９】
図２は、ＳＩＰＴＯサービスを提供するように構成されている例示的なワイヤレスネットワーク２００を示している。ネットワーク２００は、無線アクセスネットワーク（ＲＡＮ）２２５内に配置されているｅＮＢ２２０と通信状態にあるＷＴＲＵ２１０を含む。ｅＮＢ２２０はまた、Ｓ−ＧＷ２３０と通信状態にあり、Ｓ−ＧＷ２３０はまた、ローカルパケットゲートウェイ（Ｌ−ＰＧＷ）２３５およびコアネットワーク（ＣＮ）２４０と通信状態にある。ＣＮ２４０は、ＭＭＥ２４５およびパケットデータネットワーク（ＰＤＮ）ゲートウェイ（Ｐ−ＧＷ）２５０を含む。
【００４０】
ＷＴＲＵ２１０は、ワイヤレスエアインターフェース２５５を介してｅＮＢ２２０と通信する。ｅＮＢ２２０はまた、Ｓ１−Ｕインターフェース２６０を介してＳ−ＧＷ２３０と通信する。Ｓ−ＧＷ２３０は、Ｓ５インターフェース２６５を介してＬ−ＰＧＷ２３５と、およびＳ５インターフェース２７０を介してＰ−ＧＷ２５０と通信する。Ｓ−ＧＷ２３０はまた、Ｓ１１インターフェース２７５を介してＭＭＥ２４５と通信する。Ｓ−ＧＷ２３０を通じてＬ−ＰＧＷ２３５へルーティングされるＳＩＰＴＯトラフィックストリーム２８０、およびＳ−ＧＷ２３０を通じてＣＮ２４０内のＰ−ＧＷ２５０へルーティングされるＣＮトラフィックストリーム２８５という２つのトラフィックストリームも示されている。
【００４１】
ｅＮＢ２２０は、ＷＴＲＵ２１０のユーザのホームネットワークにおいてＳＩＰＴＯを実行するように構成されているＨｅＮＢであることも可能である。そのケースにおいては、トラフィックは、ユーザのホームネットワークへローカルにオフロードされることが可能である。ホームネットワークは、たとえばプリンタ、テレビジョン、およびパーソナルコンピュータなどのその他のデバイスに接続されているＩＰネットワークであることが可能である。ホームネットワーク上のこれらのノードは、プライベートアドレッシングを使用している場合がある。
【００４２】
また、ワイヤレスネットワーク２００は、ローカルＩＰアクセス（ＬＩＰＡ）を提供するように構成されることが可能である。本明細書において開示されている特徴のうちの多くは、ＳＩＰＴＯに関して説明されているが、ＨｅＮＢのためのＬＩＰＡシステムおよびＳＩＰＴＯシステムに適用されることも可能である。たとえば、ＳＩＰＴＯまたはＬＩＰＡは、単一または複数のＰＤＮ接続、ネットワークアドレス変換（ＮＡＴ）の背後での展開などを含むことができる。
【００４３】
さらに、モバイルオペレータのコアネットワークを通るトラフィックに関しては、Ｓ−ＧＷ２３０ユーザプレーン機能が、ＣＮ２４０内に配置されることが可能である。また、ＷＴＲＵ２１０とネットワークとの間におけるモビリティー管理シグナリングが、ＣＮ２４０において取り扱われることが可能である。ＳＩＰＴＯまたはＬＩＰＡトラフィック、およびＣＮ２４０を通るトラフィックに関するベアラセットアップなどのセッション管理シグナリングが、ＣＮ２４０において終了することができる。また、ＷＴＲＵ２１０に地理的にまたはトポロジー上近いＳＩＰＴＯトラフィックに関するＷＴＲＵのオフロードポイントの再選択が、アイドルモードモビリティー手順中に可能であるようにすることができる。
【００４４】
ＳＩＰＴＯシステムは、アクセスネットワークへのＷＴＲＵの接続のポイントに近いローカルゲートウェイ（Ｌ−ＧＷ）を含むことができる。そのＬ−ＧＷは、何らかのポリシーまたは構成に基づいて、たとえば、ＩＰアドレス宛先に基づいて、ＩＰトラフィックオフロードを実行することができる。ＩＰトラフィックは、たとえば、Ｓ−ＧＷおよびＰ−ＧＷを介して、またはＳＧＳＮおよびＧＧＳＮ（図示せず）を介して、オペレータのコアネットワークよりもむしろＬ−ＧＷを通ることができる。
【００４５】
ネットワークテクノロジーに応じて、ローカルブレークポイントまたはローカルゲートウェイが、ＨｅＮＢサブシステム内に、または無線ネットワークコントローラ（ＲＮＣ）内に存在することができる。また、いくつかのネットワークにおいては、ＳＧＳＮが、コントロールプレーンおよびユーザプレーンの両方を担当することができ、その一方で、その他のネットワークにおいては、ユーザプレーンおよびコントロールプレーンは、ＭＭＥおよびＳ−ＧＷによって担当されることが可能である。
【００４６】
Ｌ−ＰＧＷ２３５などのＬ−ＧＷは、ＰＤＷ／ＧＧＳＮの特定の機能を有することができる。たとえば、Ｌ−ＧＷは、ＩＰアドレス割り当て、接続モードでのＲＡＮ２２５との直接トンネリング、ＷＴＲＵごとのポリシーベースのパケットフィルタリング、またはレートポリシング／シェーピングという機能を有することができる。ローカルネットワークまたはイントラネットなどのネットワークへのＳＩＰＴＯ転送を実行するために、たとえば、適切なＰＤＮ接続が必要とされる場合がある。ＷＴＲＵは、ＰＤＮ接続を要求しているときに、またはパケットデータプロトコル（ＰＤＰ）コンテキストの確立を要求しているときに、アクセスポイント名（ＡＰＮ）を特定の値に設定することができる。
【００４７】
図３は、ＬＩＰＡサービスを提供するように構成されている例示的なワイヤレスネットワーク３００を示している。ＷＴＲＵ３１０が、ＨｅＮＢ３２０と通信状態にあることが可能である。ＨｅＮＢ３２０は、Ｌ−ＧＷ３２５とともに配置されることが可能である。ＨｅＮＢ３２０およびＬ−ＧＷ３２５は、ホームネットワーク３３０に配置されることが可能である。ＭＭＥ３３５およびＳ−ＧＷ３４０が、エボルブドパケットコア（ＥＰＣ）３４５に配置されることが可能である。セキュリティーゲートウェイ（ＳｅＧＷ）３５０が、オペレータのコアネットワークの端部に配置されることが可能である。ＳｅＧＷ３５０は、ＩＰバックホールネットワーク３５５を介してＨｅＮＢ３２０とのセキュアな接続を保持することができる。ホームルータ／ＮＡＴデバイス３６０が、ホームネットワーク３３０とＩＰバックホールネットワーク３５５との境界に配置されることが可能である。Ｐ−ＧＷ３６５も示されている。
【００４８】
Ｌ−ＧＷ３２５は、Ｓ５インターフェース３７０を介してＳ−ＧＷ３４０と通信することができる。ＷＴＲＵ３１０は、Ｓ５インターフェース３７０を介してＬ−ＧＷ３２５へパケット（たとえば、ダウンリンクユーザパケットまたはその他の任意のパケット）を送信することによってページングされることが可能である。ダウンリンクユーザパケットは、Ｌ−ＧＷ３２５内にバッファされることが可能である。Ｌ−ＧＷ３２５においてバッファされたパケットは、直接リンクを介してＨｅＮＢ３２０へ転送されることが可能である。ＨｅＮＢ３２０は、Ｓ１−Ｕインターフェース３７５を介してＳ−ＧＷ３４０と通信することができる。Ｓ−ＧＷ３４０においてバッファされたパケットは、Ｓ１−Ｕインターフェース３７５を介してＨｅＮＢ３２０へ転送されることが可能である。ＭＭＥ３３５は、Ｓ１−ＭＭＥインターフェース３８０を介してＨｅＮＢ３２０と通信することができる。Ｓ５インターフェース３７０、Ｓ１−Ｕインターフェース３７５、およびＳ１−ＭＭＥインターフェース３８０を介した通信は、ＩＰＳｅｃトンネル３８５を介してトンネルされることが可能である。
【００４９】
ＨｅＮＢ３２０におけるエンハンストラジオアクセスベアラ（Ｅ−ＲＡＢ）ＩＤと、Ｌ−ＧＷ３２５におけるエボルブドパケットシステム（ＥＰＳ）ベアラＩＤとのマッピングを実行するために、Ｓ５インターフェース３７０Ｐ−ＧＷトンネルエンドポイント識別子（ＴＥＩＤ）（ユーザプレーン）パラメータが、相関情報として使用されることが可能である。たとえば、ＴＥＩＤは、Ｓ１−ＭＭＥインターフェース３８０を介してＨｅＮＢ３２０へシグナリングされることが可能である。候補メッセージは、初期コンテキスト設定要求、Ｅ−ＲＡＢ設定要求などを含むことができる。ＨｅＮＢ３２０およびＬ−ＧＷ３２５機能に関してそれぞれ１つのＩＰアドレスを要求するためにＩＫＥｖ２メカニズムが使用されることが可能である。割り振られたＬ−ＧＷアドレスは、たとえば、ＷＴＲＵに関連付けられているシグナリングメッセージ内にて、Ｓ１−ＭＭＥインターフェース３８０を介してＭＭＥ３３５へシグナリングされることが可能である。ＭＭＥ３３５は、通常のＬ−ＧＷ３２５選択アルゴリズムをオーバーライドするために、ＨｅＮＢ３２０からの情報を使用することができる。Ｓ−ＧＷ３４０は、Ｓ５インターフェース３７０を介してＰ−ＧＷ３６５と通信することができる。Ｓ−ＧＷ３４０は、Ｓ１１インターフェース３９０を介してＭＭＥ３３５と通信することができる。
【００５０】
図４は、ＳＩＰＴＯまたはＬＩＰＡサービスを実行するように構成されているワイヤレスネットワーク４００の例を示している。ＷＴＲＵ４０５は、複数のＨｅＮＢ４１０1...nのうちの１つと通信することができる。ＷＴＲＵ４０５および複数のＨｅＮＢ４１０1...nは、企業ネットワーク４１５に配置されることが可能である。Ｌ−ＧＷ４２０も、企業ネットワーク４１５に配置されている。ＨｅＮＢ４１０1...nのそれぞれは、Ｌ−ＧＷ４２０と通信状態にあることが可能である。Ｌ−ＧＷ４２０は、インターネット４２５と通信状態にあることも可能である。ＨｅＮＢ４１０1...nのそれぞれは、Ｓ１−ＭＭＥインターフェース４３５を介してＭＭＥ４３０と通信状態にあることが可能である。ＨｅＮＢ４１０1...nのそれぞれは、Ｓ１−Ｕインターフェース４５０を介してＳ−ＧＷ４４０およびＰ−ＧＷ４４５と通信状態にあることも可能である。Ｓ−ＧＷ４４０およびＰ−ＧＷ４４５は、ともに配置されることが可能である。ＭＭＥ４３０、Ｓ−ＧＷ４４０、およびＰ−ＧＷ４４５は、モバイルオペレータネットワーク４５５に配置されることが可能である。ｅＮＢ４６０は、Ｓ１−ＭＭＥインターフェース４３５を介してＭＭＥ４３０と通信状態にあることが可能であり、Ｓ１−Ｕインターフェース４５０を介してＳ−ＧＷ４４０およびＰ−ＧＷ４４５と通信状態にあることが可能である。ｅＮＢ４６０は、ＬＴＥマクロネットワーク４６５に配置されることが可能である。
【００５１】
トラフィックオフロードは、Ｌ−ＧＷ４２０において実行されることが可能である。Ｌ−ＧＷ４２０は、インターネット４２５と通信状態にあることに加えて、企業ＩＰサービス４７０と通信状態にあることが可能である。トラフィックオフロードは、ＷＴＲＵ４０５からＨｅＮＢ４１０1...nおよびＬ−ＧＷ４２０を通じてインターネット４２５へ実行されることが可能である。図４において示されているように、ＷＴＲＵ４０５は、１つのＨｅＮＢ４１０2から別のＨｅＮＢ４１０1へハンドオーバすることができ、Ｌ−ＧＷ４２０を介してトラフィックオフロードを引き続き実行することができる。
【００５２】
図４において示されているように、ＨｅＮＢサブシステムは、ＳＩＰＴＯをサポートして、ＨｅＮＢ４１０1...nを介して接続されているＷＴＲＵ４０５から、インターネット４２５などのネットワークへのＨｅＮＢ無線アクセスを介したアクセスを提供することができる。ＳＩＰＴＯは、モバイルオペレータネットワーク４５５を横切ることなく実行されることが可能である。モバイルオペレータまたはＨｅＮＢをホストしている当事者は、ＨｅＮＢごとにＳＩＰＴＯを有効にすることまたは無効にすることが可能である。たとえば、モバイルオペレータによって設定されているＳＩＰＴＯポリシーに基づいて、ネットワークは、トラフィックがオフロードされる前にＷＴＲＵ４０５のユーザにオフロードを受け入れることまたは拒否することを許可することが可能である。ＳＩＰＴＯポリシーは、ＡＰＮごとに、任意のＡＰＮのもとでのＩＰフロークラスごとに、または特定のＡＰＮのもとでのＩＰフロークラスごとに定義されることが可能である。モバイルオペレータは、静的にまたは動的にＳＩＰＴＯポリシーを構成することができる。
【００５３】
図４において示されているように、少なくとも１つのＨｅＮＢ４１０1...nと通信状態にあるＷＴＲＵ４０５は、ＩＰ接続を企業ＩＰサービス４７０に提供するＬＩＰＡ接続を有することができる。ＷＴＲＵ４０５は、ＲＡＮにおいてＬ−ＧＷ４２０を介してインターネット４２５へオフロードされるＳＩＰＴＯ接続を有することもできる。したがって図４においては、Ｌ−ＧＷ４２０は、ＲＡＮに存在しており、スタンドアロンである。したがって、この例においては、ＨｅＮＢサブシステムとともに使用するためのＳＩＰＴＯは、ＩＰトラフィックをＨｅＮＢサブシステムからインターネットへオフロードすることであると言える。したがって、ＳＩＰＴＯサービスは、ＲＡＮにおいて利用可能であるため、ＷＴＲＵに「より近い」と言える。その他の例においては、トラフィックオフロードは、ＲＡＮを越えて利用可能とすることができる。
【００５４】
図５は、複数のローカルＨ（ｅ）ＮＢネットワーク（ＬＨＮ）を含むワイヤレスネットワーク５００の例を示している。ワイヤレスネットワーク５００は、ＳＩＰＴＯまたはＬＩＰＡサービスを実行するように構成されることが可能である。図５は、複数のＨ（ｅ）ＮＢ５１０1~n、２つのＬ−ＧＷ５２０1~2、および２つのパケットデータネットワーク（ＰＤＮ）５３０1~2を示している。図５に示されている例においては、複数のＨ（ｅ）ＮＢ５１０1~nおよび２つのＬ−ＧＷ５２０1~2が、２つのＬＨＮ５４０1~2を構成している。詳細に上述したように、Ｌ−ＧＷ５２０1~2のそれぞれは、Ｈ（ｅ）ＮＢ５１０1~nのそれぞれとともに配置されておらず、そのことは、ＷＴＲＵ（図示せず）がＨ（ｅ）ＮＢ５１０1~nのうちの複数のカバレッジエリアの間において移動する際のＰＤＮ接続の継続性を可能にすることができる。したがって、複数のＨ（ｅ）ＮＢ５１０1~nは、Ｌ−ＧＷ５２０1~2のうちの１つに接続することができる。一例として、ワイヤレスネットワーク５００は、ＳＩＰＴＯまたはＬＩＰＡ  ＰＤＮ接続を伴うＷＴＲＵ（図示せず）が、ＳＩＰＴＯまたはＬＩＰＡサービスとのＰＤＮ接続を保持しながらＨ（ｅ）ＮＢ５１０1~n（たとえば、Ｈ（ｅ）ＮＢサブシステムと呼ばれる）のうちのいずれかの間において移動することを可能にすることができる。図５において示されているように、それぞれのＬＨＮ５４０1、５４０2は、１つのＬ−ＧＷ５２０1、５２０2を含むことができ、それぞれのＬ−ＧＷ５２０1、５２０2は、Ｈ（ｅ）ＮＢ５１０1~nのうちの少なくとも１つと通信状態にあることが可能である。ＷＴＲＵが、ＬＨＮ５４０1、５４０2のうちの１つから離れた場合（たとえば、ＷＴＲＵが、１つのＬ−ＧＷ５２０1に接続しているすべてのＨ（ｅ）ＮＢ５１０1~3のカバレッジの外へ出た場合）には、ＳＩＰＴＯまたはＬＩＰＡサービスのためのＰＤＮ接続は、非アクティブ化されることが可能である。
【００５５】
図６は、同じＬ−ＧＷに接続している１または複数のＨ（ｅ）ＮＢの間におけるＷＴＲＵモビリティーの例６００を示している。Ｌ−ＧＷ６０５が、１つまたは複数のＨ（ｅ）ＮＢ６１０1~nと通信状態にあることが可能である。１つまたは複数のＨ（ｅ）ＮＢ６１０1~nのそれぞれは、１つまたは複数のＷＴＲＵ６１５1~nと通信状態にあることが可能である。たとえば、特定の時点において、ＷＴＲＵ６１５1は、第１のＨ（ｅ）ＮＢ６１０1と通信状態にあることが可能である。ＷＴＲＵ６１５1は、第１のＨ（ｅ）ＮＢ６１０1を介してＬ−ＧＷ６０５と通信状態にあることが可能である。ＷＴＲＵ６１５1は、サービス（たとえば、ＳＩＰＴＯおよび／またはＬＩＰＡサービスを含む）をＬ−ＧＷ６０５から受信していることが可能である。潜在的な通信パスが、図６において示されている。ＷＴＲＵ６１５1は、第１のＨ（ｅ）ＮＢ６１０1からの接続を切ることができ、どこかの時点で、第２のＨ（ｅ）ＮＢ６１０2に接続することができる（ＷＴＲＵ６１５2として示されている）。ＷＴＲＵ６１５2は、第２のＨ（ｅ）ＮＢ６１０2を介してＬ−ＧＷ６０５と通信状態にあることが可能である。第２のＨ（ｅ）ＮＢ６１０2は、Ｌ−ＧＷ６０５と通信状態にあることが可能であるため、ＷＴＲＵ６１５2は、ＷＴＲＵ６１５2が第１のＨ（ｅ）ＮＢ６１０1を介してそれまで受信していたサービスを受信および／または再開することができる。潜在的な通信パスが、図６において示されている。それらのサービスは、たとえば、ハンドオーバ後のＳＩＰＴＯおよび／またはＬＩＰＡサービス継続性を可能にするためのＳＩＰＴＯおよび／またはＬＩＰＡサービスを含むことができる。ＷＴＲＵ６１５2のモビリティーに基づく通信パスにおける変化も、たとえば、図６において示されている矢印を介して示されている。同様に、ＷＴＲＵ６１５2は、第３のＨ（ｅ）ＮＢ６１０3へハンドオーバすることができ（ＷＴＲＵ６１５3として示されている）、第３のＨ（ｅ）ＮＢ６１０3を介してＬ−ＧＷ６０５からのサービスを受信または再開することができる。ＷＴＲＵ６１５3は、第４のＨ（ｅ）ＮＢ６１０4へハンドオーバすることができ（ＷＴＲＵ６１５4として示されている）、第４のＨ（ｅ）ＮＢ６１０4を介してＬ−ＧＷ６０５からのサービスを受信または再開することができる。
【００５６】
図６において示されている例およびアーキテクチャーは、例示の目的のためのものであり、ノード、デバイス、またはハンドオーバのその他の組合せも可能である。たとえば、ＷＴＲＵは、特定の時点において１つまたは複数のＨ（ｅ）ＮＢからサービスを受信することができ、任意の時点において任意の順序でそれらのＨ（ｅ）ＮＢとの間で接続を行うことおよび／または接続を切ることが可能である。
【００５７】
図７〜図１２は、ワイヤレスネットワークにおいてＬ−ＧＷをサポートするためのアーキテクチャー構造の例を示している。Ｌ−ＧＷは、スタンドアロンのＬ−ＧＷ、またはＳ１／Ｉｕパスに沿って配置されているスタンドアロンのＬ−ＧＷであることが可能である。図７〜図１２において示されている例は、いかなるテクノロジーにも適用可能とすることができ、そうしたテクノロジーは、たとえば、ＬＴＥまたはＵＭＴＳシステムまたはワイヤレスネットワークなどであるが、それらには限定されない。
【００５８】
図７は、ＳＩＰＴＯまたはＬＩＰＡサービスを提供するように構成されているスタンドアロンの論理Ｌ−ＧＷを伴う例示的なワイヤレスネットワーク７００を示している。Ｌ−ＧＷ７０５が、たとえば、ＨｅＮＢサブシステムの一部として使用されることが可能である。Ｌ−ＧＷ７０５は、Ｓｘｘインターフェース７１５を介してＨｅＮＢ７１０と通信状態にあることが可能である。Ｌ−ＧＷ７０５は、Ｓ５インターフェース７２５を介してＳ−ＧＷ７２０と通信状態にあることも可能である。ＳｅＧＷ７３０が、Ｌ−ＧＷ７０５とＳ−ＧＷ７２０との間において示されており、ＳｅＧＷ７３０は、Ｌ−ＧＷ７０５とＳ−ＧＷ７２０との間におけるセキュアな接続を保持することができる。Ｌ−ＧＷ７０５は、ＳＧｉインターフェース７３５を介してその他の任意のノードまたはデバイスと通信することもできる。
【００５９】
ＨｅＮＢ７１０は、Ｕｕインターフェース７４５を介してＷＴＲＵ７４０と通信状態にあることも可能である。ＨｅＮＢ７１０は、Ｓ１−Ｕインターフェース７５０を介してＳ−ＧＷ７２０と通信状態にあることが可能である。ＳｅＧＷ７３０は、ＨｅＮＢ７１０とＳ−ＧＷ７２０との間において示されており、ＨｅＮＢ７１０とＳ−ＧＷ７２０との間におけるセキュアな接続を保持することができる。ＨｅＮＢ−ゲートウェイ（ＨｅＮＢ−ＧＷ）７５５も、ＨｅＮＢ７１０とＳ−ＧＷ７２０との間において示されており、ＨｅＮＢ７１０とＳ−ＧＷ７２０との間におけるセキュアな接続を保持することができる。ＨｅＮＢ７１０は、Ｓ１−ＭＭＥインターフェース７６５を介してＭＭＥ７６０と通信状態にあることが可能である。ＳｅＧＷ７３０は、ＨｅＮＢ７１０とＭＭＥ７６０との間において示されており、ＨｅＮＢ７１０とＭＭＥ７６０との間におけるセキュアな接続を保持することができる。ＨｅＮＢ−ＧＷ７５５も、ＨｅＮＢ７１０とＭＭＥ７６０との間において示されており、ＨｅＮＢ７１０とＭＭＥ７６０との間におけるセキュアな接続を保持することができる。ＨｅＮＢ７１０は、Ｘ２インターフェース７７０を介してその他の任意のノードまたはデバイスと通信することもできる。Ｓ−ＧＷ７２０とＭＭＥ７６０は、Ｓ１１インターフェース７７５を介して通信状態にあることが可能である。
【００６０】
図８は、ＳＩＰＴＯまたはＬＩＰＡサービスを提供するように構成されているスタンドアロンの論理Ｌ−ＧＷを伴う例示的なワイヤレスネットワーク８００を示している。Ｌ−ＧＷ８０５が、たとえば、ＨＮＢサブシステムの一部として使用されることが可能である。Ｌ−ＧＷ８０５は、Ｓｘｘインターフェース８１５を介してＨＮＢ８１０と通信状態にあることが可能である。Ｌ−ＧＷ８０５は、Ｓ５インターフェース８２５を介してＳ−ＧＷ８２０と通信状態にあることも可能である。ＳｅＧＷ８３０が、Ｌ−ＧＷ８０５とＳ−ＧＷ８２０との間において示されており、ＳｅＧＷ８３０は、Ｌ−ＧＷ８０５とＳ−ＧＷ８２０との間におけるセキュアな接続を保持することができる。Ｌ−ＧＷ８０５は、ＳＧｉインターフェース８３５を介してその他の任意のノードまたはデバイスと通信することもできる。
【００６１】
ＨＮＢ８１０は、Ｕｕインターフェース８４５を介してＷＴＲＵ８４０と通信状態にあることも可能である。ＨＮＢ８１０は、Ｓ−ＧＷ８２０と通信状態にあることが可能である。ＳｅＧＷ８３０は、ＨＮＢ８１０とＳ−ＧＷ８２０との間において示されており、ＨＮＢ８１０とＳ−ＧＷ８２０との間におけるセキュアな接続を保持することができる。ＨＮＢ−ゲートウェイ（ＨＮＢ−ＧＷ）８５５も、ＨＮＢ８１０とＳ−ＧＷ８２０との間において示されており、ＨＮＢ８１０とＳ−ＧＷ８２０との間におけるセキュアな接続を保持することができる。ＨＮＢ８１０は、Ｉｕｈインターフェース８５０を介してＨＮＢ−ＧＷ８５５と通信することができる。ＨＮＢ−ＧＷ８５５は、Ｉｕ−ＵＰインターフェース８６０を介してＳ−ＧＷ８２０と通信することができる。ＨＮＢ８１０は、Ｓ４−ＳＧＳＮ８６５と通信状態にあることが可能である。ＳｅＧＷ８３０は、ＨＮＢ８１０とＳ４−ＳＧＳＮ８６５との間において示されており、ＨＮＢ８１０とＳ４−ＳＧＳＮ８６５との間におけるセキュアな接続を保持することができる。ＨＮＢ−ＧＷ８５５も、ＨＮＢ８１０とＳ４−ＳＧＳＮ８６５との間において示されており、ＨＮＢ８１０とＳ４−ＳＧＳＮ８６５との間におけるセキュアな接続を保持することができる。上述したように、ＨＮＢ８１０は、Ｉｕｈインターフェース８５０を介してＨＮＢ−ＧＷ８５５と通信することができる。ＨＮＢ−ＧＷ８５５は、Ｉｕ−ＣＰインターフェース８７０を介してＳ４−ＳＧＳＮ８６５と通信することができる。ＨＮＢ８１０は、Ｉｕｒｈインターフェース８７５を介してその他の任意のノードまたはデバイスと通信することもできる。Ｓ−ＧＷ８２０とＳ４−ＳＧＳＮ８６５は、Ｓ４インターフェース８８０を介して通信状態にあることが可能である。
【００６２】
図９は、ＳＩＰＴＯまたはＬＩＰＡサービスを提供するように構成されているスタンドアロンの論理Ｌ−ＧＷを伴う例示的なワイヤレスネットワーク９００を示している。Ｌ−ＧＷ９０５が、たとえば、ＵＭＴＳシステムの一部として使用されることが可能である。Ｌ−ＧＷ９０５は、Ｓｘｘインターフェース９１５を介してＨＮＢ９１０と通信状態にあることが可能である。Ｌ−ＧＷ９０５は、Ｇｎインターフェース９２５を介してＳＧＳＮ９２０と通信状態にあることも可能である。ＳｅＧＷ９３０が、Ｌ−ＧＷ９０５とＳＧＳＮ９２０との間において示されており、ＳｅＧＷ９３０は、Ｌ−ＧＷ９０５とＳＧＳＮ９２０との間におけるセキュアな接続を保持することができる。Ｌ−ＧＷ９０５は、Ｇｉインターフェース９３５を介してその他の任意のノードまたはデバイスと通信することもできる。
【００６３】
ＨＮＢ９１０は、Ｕｕインターフェース９４５を介してＷＴＲＵ９４０と通信状態にあることも可能である。ＨＮＢ９１０は、ＳＧＳＮ９２０と通信状態にあることが可能である。ＳｅＧＷ９３０は、ＨＮＢ９１０とＳＧＳＮ９２０との間において示されており、ＨＮＢ９１０とＳＧＳＮ９２０との間におけるセキュアな接続を保持することができる。ＨＮＢ−ＧＷ９５５も、ＨＮＢ９１０とＳＧＳＮ９２０との間において示されており、ＨＮＢ９１０とＳＧＳＮ９２０との間におけるセキュアな接続を保持することができる。ＨＮＢ９１０は、Ｉｕｈインターフェース９５０を介してＨＮＢ−ＧＷ９５５と通信することができる。ＨＮＢ−ＧＷ９５５は、Ｉｕインターフェース９６０を介してＳＧＳＮ９２０と通信することができる。ＨＮＢ９１０は、Ｉｕｒｈインターフェース９６５を介してその他の任意のノードまたはデバイスと通信することもできる。
【００６４】
図１０は、Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワーク１０００を示している。Ｌ−ＧＷ１００５が、たとえば、ＨｅＮＢサブシステムの一部として使用されることが可能である。Ｌ−ＧＷ１００５は、Ｓ１−Ｕインターフェース１０１５および／またはＳ１−ＭＭＥインターフェース１０２０を介してＨｅＮＢ１０１０と通信状態にあることが可能である。したがってＬ−ＧＷ１００５は、ＨｅＮＢ１０１０と、Ｓ−ＧＷ１０２５およびＭＭＥ１０３０との間におけるパス内に配置されることが可能である。Ｌ−ＧＷ１００５は、Ｓ１−Ｕインターフェース１０１５を介してＳ−ＧＷ１０２５と通信状態にあること、およびＳ１−ＭＭＥインターフェース１０２０を介してＭＭＥ１０３０と通信状態にあることが可能である。ＳｅＧＷ１０３５およびＨｅＮＢ−ＧＷ１０４０が、Ｌ−ＧＷ１００５とＳ−ＧＷ１０２５との間において示されており、ＳｅＧＷ１０３５およびＨｅＮＢ−ＧＷ１０４０は、Ｌ−ＧＷ１００５とＳ−ＧＷ１０２５との間におけるセキュアな接続を保持することができる。ＳｅＧＷ１０３５およびＨｅＮＢ−ＧＷ１０４０は、Ｌ−ＧＷ１００５とＭＭＥ１０３０との間において示されており、ＳｅＧＷ１０３５およびＨｅＮＢ−ＧＷ１０４０は、Ｌ−ＧＷ１００５とＭＭＥ１０３０との間におけるセキュアな接続を保持することができる。Ｌ−ＧＷ１００５は、Ｓ５インターフェース１０４５を介してＳ−ＧＷ１０２５と通信することもできる。ＳｅＧＷ１０３５は、Ｓ５インターフェース１０４５を介してＬ−ＧＷ１００５とＳ−ＧＷ１０２５との間に存在することができる。Ｌ−ＧＷ１００５は、ＳＧｉインターフェース１０５０を介してその他の任意のノードまたはデバイスと通信することもできる。
【００６５】
ＨｅＮＢ１０１０は、Ｕｕインターフェース１０６０を介してＷＴＲＵ１０５５と通信状態にあることが可能である。ＨｅＮＢ１０１０は、Ｘ２インターフェース１０６５を介してその他の任意のノードまたはデバイスと通信状態にあることも可能である。Ｓ−ＧＷ１０２５とＭＭＥ１０３０は、Ｓ１１インターフェース１０７０を介して通信状態にあることが可能である。
【００６６】
図１１は、Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワーク１１００を示している。Ｌ−ＧＷ１１０５が、たとえば、ＨＮＢサブシステムの一部として使用されることが可能である。Ｌ−ＧＷ１１０５は、Ｉｕｈインターフェース１１１５を介してＨＮＢ１１１０と通信状態にあることが可能である。したがってＬ−ＧＷ１１０５は、ＨＮＢ１１１０と、Ｓ−ＧＷ１１２５およびＳ４−ＳＧＳＮ１１３０との間におけるパス内に配置されることが可能である。ＳｅＧＷ１１３５およびＨＮＢ−ＧＷ１１４０が、Ｌ−ＧＷ１１０５とＳ−ＧＷ１１２５との間において示されており、ＳｅＧＷ１１３５およびＨＮＢ−ＧＷ１１４０は、Ｌ−ＧＷ１１０５とＳ−ＧＷ１１２５との間におけるセキュアな接続を保持することができる。Ｌ−ＧＷ１１０５は、Ｉｕｈインターフェース１１１５を介してＨＮＢ−ＧＷ１１４０と通信することができる。ＳｅＧＷ１１３５およびＨＮＢ−ＧＷ１１４０は、Ｌ−ＧＷ１１０５とＳ４−ＳＧＳＮ１１３０との間において示されており、ＳｅＧＷ１１３５およびＨＮＢ−ＧＷ１１４０は、Ｌ−ＧＷ１１０５とＳ４−ＳＧＳＮ１１３０との間におけるセキュアな接続を保持することができる。Ｌ−ＧＷ１１０５は、Ｓ５インターフェース１１４５を介してＳ−ＧＷ１１２５と通信することもできる。ＳｅＧＷ１１３５は、Ｓ５インターフェース１１４５を介してＬ−ＧＷ１１０５とＳ−ＧＷ１１２５との間に存在することができる。Ｌ−ＧＷ１１０５は、ＳＧｉインターフェース１１５０を介してその他の任意のノードまたはデバイスと通信することもできる。
【００６７】
ＨＮＢ１１１０は、Ｕｕインターフェース１１６０を介してＷＴＲＵ１１５５と通信状態にあることが可能である。ＨＮＢ１１１０は、Ｉｕｒｈインターフェース１１６５を介してその他の任意のノードまたはデバイスと通信状態にあることも可能である。ＨＮＢ−ＧＷ１１４０は、Ｉｕ−ＵＰインターフェース１１７０を介してＳ−ＧＷ１１２５と通信することができる。ＨＮＢ−ＧＷ１１４０は、Ｉｕ−ＣＰインターフェース１１７５を介してＳ４−ＳＧＳＮ１１３０と通信することができる。Ｓ−ＧＷ１１２５とＳ４−ＳＧＳＮ１１３０は、Ｓ４インターフェース１１８０を介して通信状態にあることが可能である。
【００６８】
図１２は、Ｓ１／Ｉｕパスに沿って配置されているスタンドアロンの論理Ｌ−ＧＷを伴うＳＩＰＴＯまたはＬＩＰＡサービスを提供するように構成されている例示的なワイヤレスネットワーク１２００を示している。Ｌ−ＧＷ１２０５が、たとえば、ＵＭＴＳ  ＨＮＢサブシステムの一部として使用されることが可能である。Ｌ−ＧＷ１２０５は、Ｉｕｈインターフェース１２１５を介してＨＮＢ１２１０と通信状態にあることが可能である。したがってＬ−ＧＷ１２０５は、ＨＮＢ１２１０とＳＧＳＮ１２２５との間におけるパス内に配置されることが可能である。ＳｅＧＷ１２３５およびＨＮＢ−ＧＷ１２４０が、Ｌ−ＧＷ１２０５とＳＧＳＮ１２２５との間において示されており、ＳｅＧＷ１２３５およびＨＮＢ−ＧＷ１２４０は、Ｌ−ＧＷ１２０５とＳＧＳＮ１２２５との間におけるセキュアな接続を保持することができる。Ｌ−ＧＷ１２０５は、Ｉｕｈインターフェース１２１５を介してＨＮＢ−ＧＷ１２４０と通信することができる。Ｌ−ＧＷ１２０５は、Ｇｎインターフェース１２４５を介してＳＧＳＮ１２２５と通信することもできる。ＳｅＧＷ１２３５は、Ｇｎインターフェース１２４５を介してＬ−ＧＷ１２０５とＳＧＳＮ１２２５との間に存在することができる。Ｌ−ＧＷ１２０５は、Ｇｉインターフェース１２５０を介してその他の任意のノードまたはデバイスと通信することもできる。
【００６９】
ＨＮＢ１２１０は、Ｕｕインターフェース１２６０を介してＷＴＲＵ１２５５と通信状態にあることが可能である。ＨＮＢ１２１０は、Ｉｕｒｈインターフェース１２６５を介してその他の任意のノードまたはデバイスと通信状態にあることも可能である。ＨＮＢ−ＧＷ１２４０は、Ｉｕインターフェース１２７０を介してＳＧＳＮ１２２５と通信することができる。
【００７０】
図７〜図１２において示されている例は、例示的な目的のためのものにすぎないということを当業者なら認識するであろう。示されているノードおよび要素（および対応する名前）は、例示的な目的のためのものであり、同様の機能を実行することができる任意のノードまたはインターフェースが使用されることが可能であることを当業者なら認識するであろう。さらに、示されているアーキテクチャーは、例示の目的のためのものであり、ノードおよびインターフェースのその他の組合せも可能である。
【００７１】
上述のアーキテクチャーに基づいてＷＴＲＵモビリティーおよびＳＩＰＴＯ／ＬＩＰＡサービスを容易にするために、下記のうちの１つまたは組合せが使用されることが可能である。セル探索、接続、および接続解除を含む最初のシステムアクセスが、ここで説明される。ＳＩＰＴＯおよびＬＩＰＡサービスを許可するためにＬ−ＧＷおよびそのローカルＨｏｍｅ  ｅＮＢネットワーク（ＬＨＮ）に関する情報を入手するＷＴＲＵも説明される。ＷＴＲＵがＨｅＮＢの間においてまたはＬＨＮの外へ移動する際に所望のサービス継続性を保持することも説明される。
【００７２】
ＬＩＰＡおよびＳＩＰＴＯサービスをサポートする独立したＬ−ＧＷおよびＬＨＮを伴うＷＴＲＵおよびサービスの識別および承認を改善するための方法および装置が説明される。さらに、ＷＴＲＵセル探索および再選択を改善するための方法が説明される。たとえば、ＳＩＰＴＯおよび／またはＬＩＰＡをサポートするＬＨＮが、ＷＴＲＵによって識別されることが可能である。ＳＩＰＴＯおよび／またはＬＩＰＡサービスを可能にするためにＬＨＮアクセスポイントを位置特定して見つけ出すことをＷＴＲＵが行えるようにするためのルールおよび構成詳細が説明される。加えて、ＬＩＰＡおよびＳＩＰＴＯのためのＬＨＮおよび／またはＨｅＮＢへのネットワーク登録に関するＷＴＲＵ接続手順詳細も説明される。
【００７３】
ＳＩＰＴＯおよび／またはＬＩＰＡサービス継続性エリア（ＳＣＡ）を識別するための方法および装置が説明される。同じＬＨＮに属するセルの間において、および／またはＬＨＮを越えて移動するＷＴＲＵに関して、ＳＩＰＴＯおよび／またはＬＩＰＡのためのサービス継続性のための方法が提供される。ＷＴＲＵ（たとえば、アイドルモードのＷＴＲＵ）は、ＷＴＲＵがセルの間において、および場合によってはＬＨＮの間において移動する間に、ＳＩＰＴＯ／ＬＩＰＡサービス継続性をサポートすることができる。接続モードにおいて、たとえば、Ｘ２ハンドオーバケースにおいては、本システムは、ハンドオーバが実行される前に、およびコアネットワーク（ＣＮ）がパス切り替えを開始する前に、ターゲットセルがＳＩＰＴＯ／ＬＩＰＡ継続性をサポートすることができるかどうかを判定することもできる。
【００７４】
メッセージ内で国際移動電話加入者識別番号（ＩＭＳＩ）またはモバイル加入者ＩＳＤＮ番号（ＭＳＩＳＤＮ）を使用することに関連付けられているセキュリティー問題に対する解決策が説明される。たとえば、ＷＴＲＵがアタッチ要求（ＡＴＴＡＣＨ  ＲＥＱＵＥＳＴ）をＭＭＥへ送信した場合には、ＷＴＲＵ  ＩＭＳＩが、ＭＭＥからＬ−ＧＷへのセッション作成要求（ＣＲＥＡＴＥ  ＳＥＳＳＩＯＮ  ＲＥＱＵＥＳＴ）メッセージ内に含まれることが可能である。Ｌ−ＧＷは、オペレータの直接のコントロールのもとにはない場合があるため、Ｌ−ＧＷは、ユーザに関連した情報を必要とする可能性がある。Ｌ−ＧＷにおけるユーザのプライバシーおよびアイデンティティーを保護するために、ＷＴＲＵ−ＩＤ（たとえば、ＩＭＳＩまたはＭＳＩＳＤＮなど）は、ＳＩＰＴＯおよび／またはＬＩＰＡサービスを可能にするためのＷＴＲＵアタッチ手順中にＭＭＥによって送信されるセッション作成要求メッセージ内に含まれることから保護または除外されることが可能である。したがって、Ｌ−ＧＷにおけるユーザ情報を保護するための方法が説明される。
【００７５】
ＷＴＲＵは、無線リンク障害（ＲＬＦ）の後にＳＩＰＴＯおよび／またはＬＩＰＡサービスを再確立または再開することができる。ＷＴＲＵは、別のセルまたはＨｅＮＢに再接続することができ、古いＨｅＮＢとＬ−ＧＷとの間に存在していた接続を新たなＨｅＮＢとＬ−ＧＷとの間において再確立することができる。
【００７６】
ＭＭＥに対するＳＩＰＴＯおよび／またはＬＩＰＡのための成功しなかったＷＴＲＵ  アタッチ要求に関するさまざまな理由を区別および識別するための方法および装置が説明される。ＭＭＥは、アドミッション詳細に関してＬ−ＧＷと通信状態にあることが可能であり、ＭＭＥは、成功しなかったアタッチ手順に関する理由を提供されることが可能である。たとえば、ＬＨＮ内のＬ−ＧＷは、ユーザのＳＩＰＴＯ要求を受け入れる一方で、そのＬＩＰＡ要求を拒否することができる。したがって、特別な障害コードおよび／または原因／理由コードが、たとえば、セッション作成応答メッセージ内に含まれることが可能である。したがってＬ−ＧＷは、ＷＴＲＵ  アタッチ要求結果に影響を与えた可能性のある拒否を示すことができることが可能である。さらに、拒否のタイプに基づいて、ＭＭＥは、拒否を取り扱うためのポリシーを使用して、ＷＴＲＵに対する拒否を識別することができる。ＬＨＮアクセス許可ルールが、たとえば、ＬＨＮリストのうちのいずれかを更新することなどのＷＴＲＵ処理に関して指定されている。
【００７７】
ネットワークがＷＴＲＵのベアラまたはＷＴＲＵの現在のＳＩＰＴＯベアラをＬ−ＧＷへリロケートしたいと望む場合（たとえば、ＷＴＲＵが現在ＬＨＮ／Ｌ−ＧＷの下のＨ（ｅ）ＮＢセルのもとにない場合）には、ネットワークは、ＷＴＲＵをＬＨＮ内のＨ（ｅ）ＮＢへハンドオーバして、次いで接続解除手順を、その次に再接続手順をトリガーすることを試みることができる。ＷＴＲＵは、再接続手順のために同じセルへの選択を行うことができないようにすることができ、ＷＴＲＵは、意図されているＬＨＮに属していないセルへの選択を行うことができる。リロケーション失敗を回避するための、ならびにリロケートされたＳＩＰＴＯおよび／またはＬＩＰＡサービスのネットワークトリガリングを可能にするための方法および装置が説明される。
【００７８】
Ｈ（ｅ）ＮＢは、複数のＬＨＮまたは複数のＬ−ＧＷに接続されることが可能である。これは、公的なエリアにおけるＲＡＮシェアリング、または、たとえばフェムトネットワークシェアリングのケースにおいて生じる場合がある。それは、複数のキャリア、または別々のキャリアを伴う複数のＲＡＴ、または別々のＬＨＮにマップされるＲＡＴというコンテキストにおいて生じる場合もある。別の例は、従業員の複数のグループがミーティングをしているが、それらのグループが別々のＬＨＮに属しているという企業シナリオである。同じＨ（ｅ）ＮＢを通じた別々のＬＨＮへの基本的なアクセスまたは特定のサービスアクセスを可能にするための方法および装置が、ここで説明される。それらの方法および装置は、セキュリティーおよびアクセス特権区別中に適用されることが可能である。
【００７９】
Ｌ−ＧＷは、電源投入された際に、Ｌ−ＧＷが特定のＩＰアドレスにおいて利用可能になったことをＨ（ｅ）ＮＢ−ＧＷに知らせることができ、したがって、Ｌ−ＧＷのための、および場合によってはＬ−ＧＷに接続されているＨ（ｅ）ＮＢへのサービスおよびコアネットワーク接続をＨＮＢ−ＧＷが提供することを可能にすることができる。またＬ−ＧＷは、複数のＨ（ｅ）ＮＢに接続されているため、Ｌ−ＧＷは、Ｈ（ｅ）ＮＢアグリゲータとして機能することができる。たとえば、Ｌ−ＧＷがダウンして、次いで復活した場合には、Ｌ−ＧＷの下の個々のＨ（ｅ）ＮＢは、（たとえば、Ｈ（ｅ）ＮＢ−ＧＷを介して）コアネットワークに再登録することができ、またはＬ−ＧＷがアグリゲータとして機能して、自分のＨ（ｅ）ＮＢをＨ（ｅ）ＮＢ−ＧＷに登録することもできる。
【００８０】
以降で説明される方法は、いくつかのシステムエリアおよび／または手順に当てはまることができ、ここで説明される例は、例示的な目的のためのものにすぎない。たとえば、それらの例は、無線リソースコントロール（ＲＲＣ）、ノンアクセスストラタム（ＮＡＳ）、またはその他の任意の組合せもしくはレイヤに関連する場合がある。さらに、それらの方法は、その他の任意のシステムエリアのもとでその他の任意のソリューションと組み合わせて適用されることが可能である。
【００８１】
ＷＴＲＵは、ＬＨＮを見つけ出すこと、探索すること、識別すること、または位置特定することを行うように構成されることが可能である。特定のＬＨＮに接続するために、下記のうちの１つまたは組合せが使用されることが可能である。ＬＨＮ構成が、ブロードキャストまたは発行されることが可能である。ＷＴＲＵは、ＬＨＮ探索を実行することができる。ＬＨＮ探索は、手動探索であることが可能である。ＷＴＲＵは、ＬＨＮセル選択を実行することができる。
【００８２】
ＷＴＲＵは、ＬＩＰＡサービスをサポートするために自分のＬＨＮを探索することができる。ネットワークノードまたはシステムは、ＬＨＮ  ＩＤをシステム情報ブロック（ＳＩＢ）内で、ＬＨＮ内に存在する１つまたは複数のセルからブロードキャストすることができる。ＷＴＲＵは、たとえば、充電またはその他の任意の目的で、自分のＬＩＰＡアクセスのためのアクセスポイントおよび／またはＳＩＰＴＯオフロードポイントとしてＬＨＮを探索することができる。たとえば、ＬＩＰＡ−ＡＬＬＯＷＥＤおよび／またはＳＩＰＴＯ−ＡＬＬＯＷＥＤフラグがＳＩＢに付加されることが可能である。それらのフラグは、たとえば、クローズドサブスクライバーグループ（ＣＳＧ）および／またはＬＨＮのＬＩＰＡおよび／またはＳＩＰＴＯ能力をメンバーＷＴＲＵに示すことができる。非メンバーＷＴＲＵのためのＬＩＰＡおよびＳＩＰＴＯサービスをサポートすることができるハイブリッドセルは、ＣＳＧおよび／またはＬＨＮのＬＩＰＡおよびＳＩＰＴＯ能力を、そのハイブリッドセルにアクセスしようと試みる非メンバーＷＴＲＵに示すために、ＬＩＰＡ−ＡＬＬＯＷＥＤ−ＮＯＮＭＥＭＢＥＲおよび／またはＳＩＰＴＯ−ＡＬＬＯＷＥＤ−ＮＯＮＭＥＭＢＥＲフラグを自分のＳＩＢ内でブロードキャストすることができる。たとえば、これらの能力フラグは、任意のメッセージ、たとえばＳＩＢ−１に付加されることが可能である。テーブル１は、ＬＨＮ−ｉｄフィールドと、ＳＩＰＴＯ−ＡＬＬＯＷＥＤフィールドと、ＳＩＰＴＯ−ＡＬＬＯＷＥＤ−ＮＯＮＭＥＭＢＥＲフィールドと、ＬＩＰＡ−ＡＬＬＯＷＥＤフィールドと、ＬＩＰＡ−ＡＬＬＯＷＥＤ−ＮＯＮＭＥＭＢＥＲフィールドとを含むメッセージの例を示している。
【００８３】
【表１】
2018137759.tif 000003
【００８４】
ＣＳＧは、別々のＬＨＮに属するＨ（ｅ）ＮＢを含むことができる。また、１つのＬＨＮは、複数のＣＳＧにわたることができる。ＷＴＲＵは、そのＷＴＲＵに提供されているおよび／またはそのＷＴＲＵによって格納されている「ＬＨＮリスト」に基づいてＳＩＰＴＯまたはＬＩＰＡサービスのためのＬＨＮを探索することができる。ＷＴＲＵは、このＬＨＮリスト内に含まれているＬＨＮ−Ｉｄを有するＬＨＮを介してＳＩＰＴＯおよび／またはＬＩＰＡサービス（およびその他の派生サービス）を使用することを許可されることのみが可能である。ＬＨＮリストは、許可されたＬＨＮ  ＩＤ、オペレータＬＨＮ  ＩＤ、および／またはＷＴＲＵにおける関連した制限されたアクセス情報のリストを管理するために使用されることが可能である。この情報は、たとえば、ＷＴＲＵの汎用加入者識別モジュール（ＵＳＩＭ）内に、またはＷＴＲＵ内の不揮発性メモリ内に、ならびに、たとえばホームロケーションレジスタ（ＨＬＲ）／ホームサブスクライバーサーバ（ＨＳＳ）内のオペレータのコアネットワークにおいて格納されることが可能である。ＷＴＲＵは、ＬＨＮに関連した情報を含むメッセージおよび／または表示をセルまたはＨ（ｅ）ＮＢから受信することができる。そのメッセージおよび／または表示は、たとえば、ＳＩＰＴＯ／ＬＩＰＡサービス情報または識別情報などのその他の情報を含むこともできる。ＷＴＲＵは、受信された情報または表示のうちの任意のものを、ＷＴＲＵにおいて格納されている１つまたは複数のＬＨＮリスト内に格納されている情報と比較することができる。ＷＴＲＵは、その比較に基づいてセル選択または再選択を実行することができる。
【００８５】
ＷＴＲＵは、１つまたは複数のＣＳＧリストを受信および／または保持することができる。たとえば、ＷＴＲＵは、そのＷＴＲＵが属している、またはそのＷＴＲＵにアクセスが許可されているＣＳＧのＣＳＧ  アイデンティティーを含むことができるＣＳＧホワイトリストまたは許可済みＣＳＧリストを保持することができる。それらのＣＳＧリストのいずれも、許可されたまたはそれまでに訪問されたＣＳＧまたはセルのリストを含むことができる。ＣＳＧリストは、たとえば、より上位のレイヤから、またはＣＳＧセルへの成功したアクセスの際に、ＷＴＲＵによって受信されることが可能である。１つまたは複数のＣＳＧリストが、ＷＴＲＵ内に、たとえばＵＳＩＭまたは不揮発性メモリ内に格納されることが可能である。ＷＴＲＵは、ＣＳＴリストを保持および／または更新することができる。ＷＴＲＵは、ＣＳＧ  ＩＤを含むメッセージおよび／または表示をセルまたはＣＳＧから受信することができる。ＷＴＲＵは、受信されたＣＳＧ  ＩＤを、ＷＴＲＵにおいて格納されている１つまたは複数のＣＳＧリスト内に含まれているＣＳＧ  ＩＤと比較することができる。ＷＴＲＵは、その比較に基づいてセル選択または再選択を実行することができる。ＣＳＧリストは、１つまたは複数のＨＮＢまたはＨ（ｅ）ＮＢのリストを含むＨＮＢまたはＨ（ｅ）ＮＢリストを含むことまたは備えることも可能である。
【００８６】
ＬＨＮリストは、サブリストを含むことができる。たとえば、サブリストは、「許可済みＬＨＮリスト」および「オペレータのＬＨＮリスト」を含むことができる。本明細書において言及される際には、「ＬＨＮリスト」という語句は、許可済みＬＨＮリストおよび／またはオペレータのＬＨＮリスト、ならびにＬＨＮリスト内のその他の任意のサブリストを含むことができる。ＬＨＮオペレータ、エンドユーザ、および／または任意のオペレータが、許可済みＬＨＮリストを管理することができる。許可済みＬＨＮリストは、たとえば、ＬＨＮオペレータによって付与されてエンドユーザによって識別および／または確認されるＬＨＮメンバーシップを含むことができる。許可済みＬＨＮリストは、オペレータのＬＨＮリストを含むこともできる。許可済みＬＨＮリストは、たとえば、手動ＬＨＮ探索において使用されることが可能である。オペレータのＬＨＮリストは、サービスオペレータによって管理されることが可能である。オペレータのＬＨＮリストは、たとえば、ＷＴＲＵがアクセスすることを許可されているＬＨＮを含むことができる。オペレータのＬＨＮリストは、たとえば、自動ＬＨＮ探索のために使用されることが可能である。これらのリストのいずれも、さらなるリストまたは要素を含むことができる。
【００８７】
図１３は、ＬＨＮリストオブジェクトの例を示している。ＬＨＮリストは、たとえば、許可済みＬＨＮリストおよびオペレータのＬＨＮリストなど、サブリストを伴うＬＨＮリストであることが可能である。同様に、ＬＨＮリストは、本明細書に記載されている任意のリストまたはサブリストであることが可能である。したがって、図１３において示されているＬＨＮリストオブジェクトは、許可済みＬＨＮリストを表すこともできる。図１３を参照すると、許可済みＬＨＮエントリーは、パブリックランドモバイルネットワークＩＤ（ＰＬＭＮ＿ＩＤ）および／またはＬＨＮエントリーを含むことができる。ＬＨＮエントリーは、ＬＨＮ＿ＩＤ、ＮＥＴ＿ＣＡＰＡＢＩＬＩＴＹ、またはＵＳＥＲ＿ＣＯＮＳＥＮＴを含むことができるが、それらには限定されない。ＮＥＴ＿ＣＡＰＡＢＩＬＩＴＹ要素は、たとえば、ＳＩＰＴＯおよび／またはＬＩＰＡサービスをサポートするためのＬＨＮの能力を示すことができる。したがって、ＮＥＴ＿ＣＡＰＡＢＩＬＩＴＹ要素は、たとえば、ＬＩＰＡ、ＳＩＰＴＯ、またはその両方などの値を含むことができる。ＵＳＥＲ＿ＣＯＮＳＥＮＴ要素は、たとえば、特定のＬＨＮに関するＳＩＰＴＯおよび／またはＬＩＰＡサービスのためのユーザ同意を示すことができる。ＵＳＥＲ＿ＣＯＮＳＥＮＴ要素は、たとえば、ＬＩＰＡ、ＳＩＰＴＯ、またはその両方などの値を含むことができる。ＵＳＥＲ＿ＣＯＮＳＥＮＴ要素は、たとえば、ＬＨＮごとに、ＡＰＮごとに、および／またはＱｏＳごとに定義されることも可能である。オペレータＬＨＮエントリーは、ＰＬＭＮ＿ＩＤおよび／またはＬＨＮエントリーを含むことができる。ＬＨＮエントリーは、ＬＨＮ＿ＩＤ、ＮＥＴ＿ＣＡＰＡＢＩＬＩＴＹ、またはＵＳＥＲ＿ＣＯＮＳＥＮＴを含むことができるが、それらには限定されない。ＮＥＴ＿ＣＡＰＡＢＩＬＩＴＹ要素は、たとえば、ＳＩＰＴＯおよび／またはＬＩＰＡサービスをサポートするためのＬＨＮの能力を示すことができる。したがって、ＮＥＴ＿ＣＡＰＡＢＩＬＩＴＹ要素は、たとえば、ＬＩＰＡ、ＳＩＰＴＯ、またはその両方などの値を含むことができる。ＵＳＥＲ＿ＣＯＮＳＥＮＴ要素は、たとえば、特定のＬＨＮに関するＳＩＰＴＯおよび／またはＬＩＰＡサービスのためのユーザ同意を示すことができる。ＵＳＥＲ＿ＣＯＮＳＥＮＴ要素は、たとえば、ＬＩＰＡ、ＳＩＰＴＯ、またはその両方などの値を含むことができる。ＵＳＥＲ＿ＣＯＮＳＥＮＴ要素は、たとえば、ＬＨＮごとに、ＡＰＮごとに、および／またはＱｏＳごとに定義されることも可能である。本明細書に記載されているノードおよびリーフオブジェクトに基づく（たとえば、「ＥＸＴ」ノードによって示されている）あらゆる拡張は、この例の内容の範囲内であると理解される。たとえば、ＥＸＴノードは、ベンダー固有の情報を含むことができる。ＥＸＴノードは、１つまたは複数のサブリストまたはサブツリーを含むことができる。与えられている名前は、例示の目的のためのものにすぎないことを当業者なら認識するであろう。
【００８８】
ＷＴＲＵが、たとえば、許可済みＬＨＮリストを含むＯＭＡ  ＤＭアクセスを介して許可済みＬＨＮリスト管理オブジェクト（ＭＯ）を受信した場合には、ＷＴＲＵは、自分の許可済みＬＨＮリストを更新することができる。許可済みＬＨＮリストは、ＷＴＲＵにおいて、たとえば、上述のようにＵＳＩＭ内に、またはＷＴＲＵ内の不揮発性メモリ内に格納されることが可能である。ＷＴＲＵは、たとえば、オペレータＬＨＮリストを含むＯＭＡ  ＤＭアクセスを介してオペレータのＬＨＮリスト管理オブジェクト（ＭＯ）を受信した場合には、たとえば、ＵＳＩＭまたは不揮発性メモリ内に格納されているオペレータＬＨＮリストを更新することができる。
【００８９】
組み合わされた手動ＬＨＮおよびＣＳＧセル選択手順が実行されることが可能である。ＷＴＲＵは、たとえば、電源投入、ユーザ介入、または、ＷＴＲＵがＬＨＮ近傍エリアに入ることなど、その他の任意のプログラムされたトリガー中に、手動ＬＨＮ選択手順を実行することができる。手動ＬＨＮ選択手順においては、ＷＴＲＵは、ＮＡＳからの表示を伴って、利用可能な帯域をスキャンすること、関連したもしくは利用可能なセルを見つけ出すこと、ならびに／または、利用可能なＬＨＮのリストを、たとえば関連付けられているＣＳＧ  ＩＤおよびＰＬＭＮとともにユーザに示すことが可能である。利用可能なＬＨＮに関する選択基準が、たとえばエンドユーザによってＮＡＳシグナリングを介して、またはＵＳＩＭにおいて定義されているように、ＷＴＲＵへ送信されることが可能である。それらの基準は、下記のうちの１つまたは組合せを含むことができる。ＬＨＮ  ＩＤは、ＷＴＲＵによって見つけられた適切なセルによってブロードキャストされることが可能である。ＬＨＮ  ＩＤは、ＷＴＲＵによって見つけられた適切なセルによってブロードキャストされることが可能であり、ＬＨＮ  ＩＤは、ＷＴＲＵのＬＨＮリスト、たとえば許可済みＬＨＮおよび／またはオペレータＬＨＮリストのうちの１つの中にある。ＬＨＮ  ＩＤは、ＷＴＲＵによって見つけられた適切なセルによってブロードキャストされることが可能であり、ＬＨＮ  ＩＤは、ＷＴＲＵのオペレータＬＨＮリストにある。ＬＨＮ  ＩＤは、ＷＴＲＵによって見つけられた適切なセルによってブロードキャストされることが可能であり、ＬＨＮ  ＩＤは、ＷＴＲＵのＬＨＮリストにあり、セルは、ハイブリッドセルまたはクローズドＣＳＧセルのいずれかであり、クローズドＣＳＧセルのＣＳＧ  ＩＤは、ＷＴＲＵのＣＳＧリスト、たとえば許可済みＣＳＧまたはオペレータＣＳＧリストのいずれかの中に含まれている。ＬＨＮ  ＩＤは、ＷＴＲＵによって見つけられた適切なセルによってブロードキャストされることが可能であり、ＬＨＮ  ＩＤは、ＷＴＲＵのオペレータＬＨＮリストに含まれており、セルは、ハイブリッドセルまたはクローズドＣＳＧセルのいずれかであり、クローズドＣＳＧセルのＣＳＧ  ＩＤは、ＷＴＲＵのＣＳＧリスト、たとえば許可済みＣＳＧまたはオペレータＣＳＧリストに含まれている。ＬＨＮ  ＩＤは、ＷＴＲＵによって見つけられた適切なセルによってブロードキャストされることが可能であり、ＬＨＮ  ＩＤは、ＷＴＲＵのオペレータＬＨＮリストに含まれており、セルは、ハイブリッドセルまたはプライベートＣＳＧセルのいずれかであり、プライベートＣＳＧセルのＣＳＧ  ＩＤは、たとえば、ＷＴＲＵのオペレータＣＳＧリストに含まれている。
【００９０】
任意のリストにおけるそれぞれのエントリーに関して、ＷＴＲＵは、下記の情報のうちの任意のものまたは組合せをユーザに示すことができる。ＷＴＲＵは、ＬＨＮ  ＩＤを示すことができる。代替として、または追加として、ＷＴＲＵは、ＬＨＮグループを、および／またはＬＨＮがオペレータＬＨＮリストもしくは許可済みＬＨＮリスト内にあるか否かを示すことができる。代替として、または追加として、ＷＴＲＵは、アクセスセルタイプを示すことができる。ＷＴＲＵは、セルが、ＷＴＲＵがメンバーではないハイブリッドセルであるかどうかを、および／またはそのハイブリッドセルが非メンバーのためのＬＨＮアクセスをサポートしているかどうかを示すことができる。ＷＴＲＵは、ＷＴＲＵがＣＳＧセルのメンバーであることを示すことができる。ＷＴＲＵは、ＣＳＧ  ＩＤもしくはＣＳＧ  ＩＤグループを、および／またはＣＳＧセルがオペレータＣＳＧリストもしくは許可済みＣＳＧリスト内に含まれているかどうかを、および／またはＣＳＧセルがＣＳＧホワイトリスト内に含まれているかどうかを示すこともできる。代替として、または追加として、ＷＴＲＵは、セルのＳＩＰＴＯおよび／またはＬＩＰＡ能力を示すことができる。
【００９１】
ユーザは、示されているＬＨＮからＬＨＮを選択することができる。ＷＴＲＵが緊急ベアラサービスのためのＰＤＮ接続を有している場合には、手動ＬＨＮ選択が実行されることは不可能である。ユーザが選択を行った場合には、ＷＴＲＵは、選択されたＬＨＮアイデンティティーを有するセルにキャンプすることを試みることができ、そのセルから、関連付けられているＰＬＭＮに登録することを試みることができる。
【００９２】
ＬＨＮ選択（たとえば、手動ＬＨＮ選択）をサポートするために、アクセスストラタム（ＡＳ）レイヤアクションが使用されることが可能である。手動ＬＨＮ選択をサポートするために、ＷＴＲＵのＡＳレイヤは、たとえば、ＮＡＳからの要求に応じて、利用可能なＬＨＮ  ＩＤを見つけ出すためのＷＴＲＵの能力に従って、構成されている帯域内のいくつかのまたはすべてのＲＦチャネルをスキャンすることができる。それぞれのキャリア上で、ＷＴＲＵは、少なくとも、最も強力なセルを探索すること、最も強力なセルのシステム情報を読み取ること、および／または利用可能な（１もしくは複数の）ＬＨＮ  ＩＤを（１もしくは複数の）ＰＬＭＮおよび／もしくはＣＳＧ  ＩＤとともにＮＡＳに報告することが可能である。利用可能なＬＨＮ  ＩＤの探索は、ＮＡＳからの要求に応じて停止されることが可能である。
【００９３】
特定のＬＨＮ探索が、ＷＴＲＵのＡＳレイヤにおいてサポートされることも可能である。ＮＡＳがＬＨＮ  ＩＤおよび／または（１もしくは複数の）ＣＳＧ  ＩＤをＡＳに提供した場合には、ＡＳは、選択されたＬＨＮ  ＩＤおよび（１もしくは複数の）ＣＳＧ  ＩＤに属する許容可能なまたは適切なセルを探索することができ、そのセルにキャンプまたはアクセスすることができる。ＮＡＳがＬＨＮ  ＩＤをＡＳに提供した場合には、ＡＳは、選択されたＬＨＮ  ＩＤをブロードキャストする、および／またはＷＴＲＵのＣＳＧホワイトリスト内に含まれているＣＳＧグループに属する許容可能なまたは適切なセルを探索することができる。ＷＴＲＵは、特定のＬＨＮセルを介して登録を実行することができる。
【００９４】
ユーザが、登録済みＰＬＭＮ（ＲＰＬＭＮ）とは異なるＰＬＭＮ内のＬＨＮを選択した場合には、下記のうちの１つまたは組合せが実行されることが可能である。ＷＴＲＵは、ＲＰＬＭＮの複製と、現在のＰＬＭＮ選択モードの複製とを格納することができる。ＷＴＲＵは、ＰＬＭＮ選択のための手動モードに入ることができ、ＬＨＮに対応するＰＬＭＮを選択することができる。ＷＴＲＵは、ＰＬＭＮ内の選択されたＬＨＮセル上で登録を行うことを試みることができる。登録が失敗した場合、またはＷＴＲＵがもはやＬＨＮのカバレッジ内にない場合には、ＷＴＲＵは、格納されている複製ＰＬＭＮ選択モードに戻って、ＲＰＬＭＮの格納されている複製値をさらなるアクションのために使用することができる。登録が成功した場合には、ＷＴＲＵは、ＷＴＲＵがキャンプしているセルに応じて、下記のうちの１つまたは組合せを実行することができる。キャンプされているセルがＬＨＮリスト内に含まれていない場合には、ＷＴＲＵは、そのセルまたはＬＨＮを許可済みＬＨＮリストに加えることができる。キャンプされているセルがＣＳＧリスト内に含まれていない場合には、ＷＴＲＵは、そのセルを許可済みＣＳＧリストに加えることができる。登録が失敗した場合には、たとえば、リターンコードに応じて、下記のアクションのうちの１つまたは複数がＷＴＲＵによって実行されることが可能である。ＬＨＮアクセスが許可されていないことをリターンコードが示している場合には、ＬＨＮ  ＩＤは、許可済みＬＨＮリストから除去されることが可能である。そのＬＨＮ  ＩＤは、禁止ＬＨＮリストに加えられることが可能である。ＬＨＮが一時的に利用不可能であることをリターンコードが示している場合には、ＷＴＲＵは、再試行を可能にする前に、設定されているまたは所定の時間にわたって待機することができる。ＬＨＮ手動選択プロセスに際しては、禁止ＬＨＮリスト内のＬＨＮがユーザに示されることも可能である。たとえば、電源オフの際に、または成功した手動選択および登録中に、ＬＨＮがリストから除去されることが可能である。
【００９５】
ＬＨＮセル再選択が実行されることも可能である。ＷＴＲＵが、ＬＨＮに属しているＬ−ＧＷへのＰＤＮ接続を有していない場合には、ＷＴＲＵは、任意のセル再選択手順に従うことができる。ＬＨＮに属しているＬ−ＧＷへのＰＤＮ接続を有しているまたは有していたアイドルモードＷＴＲＵに関しては、ＳＩＰＴＯおよび／またはＬＩＰＡ  ＰＤＮ接続を有効に保持するために特別なアイドルモードセル再選択が使用されることが可能である。
【００９６】
ＬＨＮセルからのセル選択が実行されることが可能である。ＷＴＲＵが、ＬＨＮに属しているＬ−ＧＷへのＰＤＮ接続を有しているもしくは有していた場合に、および／またはＷＴＲＵが適切なＬＨＮセル（たとえば、そのセルがＬＨＮに属している）にキャンプしている場合に、およびＷＴＲＵが、より高いランクにある別のＬＨＮセルを検知した場合に、ＷＴＲＵは、その検知されたＬＨＮセルへの再選択を行うことができる。ＷＴＲＵは、任意選択で、非ＬＨＮセルへの再選択を、そのセルのランクにかかわらずに、行わないことが可能である。代替として、または追加として、干渉を少なくするために、ターゲットとされるＬＨＮセルは、再選択用として検討されるためには、その周波数上で最も高くランクされているＬＨＮセルであることを必要とすることができる。ＷＴＲＵがキャンプされているセルの無線状態が失われたまたは劣化した場合、およびＷＴＲＵが適切なＬＨＮセルを見つけ出すことができない場合には、ＷＴＲＵは、任意の適切なセルへの再選択を行うことができる。ＷＴＲＵが非ＬＨＮセルにキャンプした後に、ＷＴＲＵは、ＷＴＲＵがＬＨＮセルへ戻ることを可能にするために自分のローカルＰＤＮ接続（たとえば、ＬＨＮへのＰＤＮ接続）を保持することができる。ＷＴＲＵは、たとえば、サポーティングネットワークがＷＴＲＵの接続および／またはトラフィックを元のＬ−ＧＷへ再ルーティングすることを可能にするために、新たなセルを介してＬ−ＧＷ情報（たとえば、Ｌ−ＧＷ＠ＬＮ、Ｌ−ＧＷ＠ＣＮ、または相関Ｉｄ）を供給することができる。
【００９７】
セル選択が非ＬＨＮセルから実行されることが可能である。ＷＴＲＵが、ＬＨＮに属しているＬ−ＧＷへのＰＤＮ接続を有している場合、および／またはＷＴＲＵが、ＬＨＮに属していないセルに現在キャンプされている場合には、ＷＴＲＵは、ＬＨＮセルを検知するための自律的な探索機能を使用することができる。ＬＨＮセルは、少なくとも、たとえば、インターＲＡＴ周波数を含むサービングまたは非サービング周波数上でＷＴＲＵがそれまでに訪問した許可済みＬＨＮセルを含むことができる。上記のうちのいずれも、単独で、または通常のセル再選択と組み合わせて実行されることが可能である。
【００９８】
ＷＴＲＵは、１つまたは複数の適切なＬＨＮセルを別々の周波数上で検知した場合には、それらの検知されたセルのうちの１つへの再選択を、それらのセルのランキングおよび／またはＬＨＮ  ＩＤプロパティーに基づいて行うことができる。これは、たとえば、ＷＴＲＵが現在キャンプされているセルの周波数優先度にかかわらずに実行されることが可能である。ＷＴＲＵが同じ周波数上で適切なＬＨＮセルを検知した場合には、ＷＴＲＵは、そのセルへの再選択を行うことができる。代替として、または追加として、ターゲットとされるＬＨＮセルは、その周波数上で最も高くランクされているセルとみなされることが可能である。たとえば、これは、干渉を少なくすることができる。
【００９９】
ＬＨＮセル選択および／または再選択は、イベントによってトリガーされることが可能である。ＷＴＲＵがＬＨＮからページングされて、そのＷＴＲＵが非ＬＨＮセルまたは別のＬＨＮセルに現在キャンプされている場合には、ネットワークは、ＬＨＮに属しているセルを探索してそのセルへの再選択を行うようにＷＴＲＵをトリガーすることができる。ネットワークは、リモートアプリケーションのために、またはＳＩＰＴＯニーズに基づいて、ＬＨＮに属しているセルを探索してそのセルへの再選択を行うようにＷＴＲＵをトリガーすることもできる。ネットワークは、たとえば、ＷＴＲＵがキャンプまたは接続することをネットワークが望んでいるＬＨＮおよび／またはＣＳＧグループをＷＴＲＵに知らせるためにＮＡＳまたはＲＲＣメッセージを使用することができる。ＷＴＲＵがネットワークメッセージを受信した場合には、ＷＴＲＵは、自分のＲＲＣ接続を解放して、ネットワークの要求に従ってセルへの選択または再選択を行うことができる。任意選択で、ＷＴＲＵからの特定のイベントが、ＬＨＮセル選択または再選択をトリガーすることもできる。これは、たとえば、ローカル印刷またはその他の任意のローカルタスクを行いたいというユーザの要望を含むことができる。
【０１００】
ユーザプリファレンスが、ＷＴＲＵによって定義されて示されることが可能である。たとえば、ＷＴＲＵは、ＬＨＮセルにキャンプされている場合には、たとえば、インターネットへの自分のアクセスポイントとしてＬＨＮを使用することを好むプリファレンス、および／または接続手順中に、もしくはＰＤＮ接続手順のためにＬＨＮにアクセスしたいという自分のプリファレンスをネットワークに示すことができる。ユーザプリファレンスは、たとえば、ＥＳＭ  情報応答メッセージ内で示されることが可能である。ＷＴＲＵは、たとえば、ユーザが、ＬＨＮネットワークにアクセスすること、またはＬＨＮを介してＡＰＮにアクセスすることを好む場合には、ＬＨＮ  ＩＤをＥＳＭ  ＩＮＦＯＲＭＡＴＩＯＮ  ＲＥＳＰＯＮＳＥ内に含めることができる。ＷＴＲＵは、ＬＨＮ  ＩＤおよびＡＰＮをＬＨＮのＡＰＮになるように設定することによって、ＬＩＰＡサービスを好む自分のプリファレンスを示すことができる。ＷＴＲＵは、自分のトラフィックをＬＨＮ上にオフロードすることを好む場合には、ＬＨＮ  ＩＤを、ＷＴＲＵがオフロードを行うために使用することを好むＬＨＮに設定することができ、ＡＰＮを、自分がオフロードしたいトラフィックに設定することができる。テーブル２は、ＬＨＮアイデンティティー情報要素を含むＥＳＭ  情報応答の例を示している。
【０１０１】
【表２】
2018137759.tif 000004
【０１０２】
代替として、または追加として、ユーザプリファレンスが、ＰＤＮ  接続性要求メッセージ内で示されることが可能である。ユーザが、ＬＨＮへのＰＤＮ接続を有することを好む場合には、ＡＰＮは、ＬＨＮのＡＰＮに設定されることが可能であり、ＬＨＮアイデンティティーは、ＬＨＮ−ＩＤに設定されることが可能である。ユーザが、新たなＰＤＮ接続を確立することを好み、その新たなＰＤＮ接続がＬＨＮを介してオフロードされることを好む場合には、ＡＰＮは、ユーザがＰＤＮ接続を確立することを好むＡＰＮに設定されることが可能であり、および／またはＬＨＮアイデンティティーは、好ましいオフロードポイントのＬＨＮ−ＩＤに設定されることが可能である。テーブル３は、ＬＨＮアイデンティティー情報要素を含むＰＤＮ  接続性要求メッセージの例を示している。
【０１０３】
【表３】
2018137759.tif 000005
【０１０４】
ユーザのネットワークプリファレンスが、アタッチ要求内に含まれることも可能である。ＬＨＮ−ＩＤがアタッチ要求メッセージ内に存在している場合には、ネットワークは、指定されたＬＨＮのＬ−ＧＷを介してデフォルトのＰＤＮ接続を確立することができる。テーブル４は、ＬＨＮアイデンティティー情報要素を含むアタッチ要求メッセージの例を示している。
【０１０５】
【表４−１】
2018137759.tif 000006
【０１０６】
【表４−２】
2018137759.tif 000007
【０１０７】
情報要素「ローカルホームネットワーク」は、ＬＨＮ識別子の形態、またはその他の任意の形態であることが可能である。１つのＨ（ｅ）ＮＢは１つのＬＨＮに属することしかできないため、ＳＩＰＴＯサービスを好むプリファレンスをＷＴＲＵが示している場合には、ＬＨＮ−ＩＤは黙示的に指定されることが可能である。ＷＴＲＵは、新たなＰＤＮ接続のためのＰＤＮ  接続性要求メッセージ内にＰｒｅｆｅｒｒｅｄ＿ＳＩＰＴＯ＿Ｐｏｉｎｔを含めることもできる。代替として、または追加として、Ｐｒｅｆｅｒｒｅｄ＿ＳＩＰＴＯ＿Ｐｏｉｎｔは、アタッチ完了（ＡＴＴＡＣＨ  ＣＯＭＰＬＥＴＥ）メッセージ内に含まれることが可能である。ＷＴＲＵが接続を要求しているローカルホームネットワークに関するＬＨＮ−ＩＤが、アタッチ要求メッセージに、または、たとえば、そのアタッチ要求とともに送信されるＰＤＮ  接続性要求メッセージに付加されることが可能である。ＬＨＮ−ＩＤは、情報要素として含まれることが可能である。
【０１０８】
ＳＩＰＴＯおよび／またはＬＩＰＡサービス継続性がサポートされることが可能である。ＳＩＰＴＯ／ＬＩＰＡサービス継続性は、サービス継続性エリア（ＳＣＡ）においてＬＨＮセルの外でサポートされることが可能である。ＷＴＲＵおよび／またはネットワークにＳＩＰＴＯ／ＬＩＰＡサービス継続性情報を提供すること、およびそれが保持されることが可能である場合は、それぞれアイドルモードおよび／または接続モードでのセル再選択および／またはハンドオーバ決定を行う上で役立つことができる。サービス継続性エリアは、任意の組合せでの下記のアイテムのうちの１つまたは複数によって定義されることが可能である。たとえばＳＣＡは、セルＩＤのリスト、ＣＳＧ  ＩＤのリスト、たとえばトラッキングエリアアイデンティティー（ＴＡＩ）などのエリアＩＤのリスト、および／またはＰＬＭＮ  ＩＤのリストとして定義されることが可能である。ＷＴＲＵは、システム情報ブロードキャストを読み取ることによって、または、たとえば専用のＲＲＣメッセージもしくはＮＡＳメッセージなどのメッセージを介して通知されることによって、ＳＣＡを入手することができる。代替として、または追加として、ＷＴＲＵに提供されるＳＣＡ情報は、セル再選択のためのＷＴＲＵの届く範囲内の、または、ハンドオーバ測定スキャンレンジ内の、現在のセルに隣接しているかもしくはその付近にある、近くの関連性のある近隣セルのみに関連した情報を含むことができる。これは、シグナリングスペースを節約することができる。ＳＩＰＴＯ／ＬＩＰＡサービス継続性を保持する目的で、アイドルモードのＷＴＲＵは、セル再選択を容易にするためにＳＣＡ情報を使用することができる。代替として、または追加として、接続モードのＷＴＲＵは、モビリティー測定のためにＳＣＡ情報を使用することができる。
【０１０９】
ＳＩＰＴＯ／ＬＩＰＡサービス継続性は、アイドルモードで保持されることが可能である。ＬＨＮに属しているＬ−ＧＷへのＰＤＮ接続を有していないＷＴＲＵは、通常のセル再選択手順に従うことができる。ＬＨＮに属しているＬ−ＧＷへのＰＤＮ接続を有しているアイドルモードＷＴＲＵは、ＳＩＰＴＯ／ＬＩＰＡ  ＰＤＮ接続を有効に保持するために特別なアイドルモードセル再選択を使用することができる。
【０１１０】
ＳＣＡ内のセルからセル選択が実行されることが可能である。ＷＴＲＵが、ＬＨＮに属しているＬ−ＧＷへのＰＤＮ接続を有している場合に、および／またはＷＴＲＵが適切なＳＣＡセル（たとえば、そのセルが、ＬＨＮへのＳＩＰＴＯ／ＬＩＰＡサービス継続性をサポートしている）にキャンプされている場合に、および／またはＷＴＲＵが、現在のセルよりも高いランクにある別のＳＣＡセルを検知した場合に、ＷＴＲＵは、その検知されたＳＣＡセルへの再選択を行うことができる。ＷＴＲＵは、非ＳＣＡセルへの再選択を、そのセルがいかに高くランクされているかにかかわらずに、行わないことが可能である。代替として、または追加として、再選択立候補は、ターゲットとされるＳＣＡセルがその周波数上で最も高くランクされているセルであることを必要とすることができるようなルールを含むことができる。これは、干渉を少なくすることができる。ＷＴＲＵがキャンプされているセルの無線状態が失われたもしくは劣化した場合、および／またはＷＴＲＵが適切なＳＣＡセルを見つけ出すことができない場合には、ＷＴＲＵは、任意の適切なセルへの再選択を行うことができる。ＷＴＲＵが非ＳＣＡセルにキャンプした場合には、ＷＴＲＵは、自分のローカルＰＤＮ接続（たとえば、ＬＨＮへのＰＤＮ接続）を保持することができる。これは、ＷＴＲＵがＳＣＡカバレッジへ戻ることを可能にすることができる。代替として、または追加として、ＷＴＲＵは、ネットワークがＷＴＲＵの接続および／またはトラフィックを元のＬ−ＧＷへ再ルーティングすることを可能にするために、新たなセルを介してＬ−ＧＷ情報（たとえば、Ｌ−ＧＷ＠ＬＮ、Ｌ−ＧＷ＠ＣＮ、または相関Ｉｄ）を供給することができる。
【０１１１】
セル選択がＳＣＡの外のセルから実行されることが可能である。たとえば、ＷＴＲＵが、ＬＨＮに属しているＬ−ＧＷへのＰＤＮ接続を有している場合、およびＷＴＲＵが、ＳＣＡカバレッジ内にないセルに現在キャンプされている場合には、ＷＴＲＵは、少なくとも、インターＲＡＴ周波数を含むことができるサービングまたは非サービング周波数上でそれまでに訪問しているおよび／または許可されているＳＣＡセルを検知するための自律的な探索機能を使用することができる。これは、通常のセル再選択に対する代替として、または追加として実行されることが可能である。
【０１１２】
ＷＴＲＵが、１つまたは複数の適切なＳＣＡセルを別々の周波数上で検知した場合には、ＷＴＲＵは、それらの検知されたセルのうちの１つへの再選択を、ＷＴＲＵが現在キャンプされているセルの周波数優先度にかかわらずに行うことができる。干渉を少なくするために、対象のＬＨＮセルが、その周波数上で最も高くランクされているセルである場合には、さらなる制約が使用されることが可能である。ＷＴＲＵは、同じ周波数上で適切なＳＣＡセルを検知した場合には、そのセルへの再選択を行う。干渉を少なくするために、対象のＳＣＡセルが、その周波数上で現在のセルよりも高くランクされているセルである場合には、さらなる制約が適用されることが可能である。
【０１１３】
ＷＴＲＵによって要求されたＬＨＮ  ＰＤＮ接続は、ＩＭＳＩおよび／またはＭＳＩＳＤＮを使用することなく実行されることが可能である。ユーザプライバシーを保護するために、ＷＴＲＵがＬＨＮ  ＰＤＮ接続を要求した場合には、ＭＭＥ／ネットワークは、要求されたＬＨＮのＬ−ＧＷへ送信される対応するメッセージ（たとえば、セッション作成要求メッセージ）内にＷＴＲＵのＩＭＳＩまたはＭＳＩＳＤＮを含めないことが可能である。ＭＭＥは、一時的なＩＭＳＩ（Ｔ＿ＩＭＳＩ）および／または一時的なＭＳＩＳＤＮ（Ｔ＿ＭＳＩＳＤＮ）をＨＳＳに要求することができ、そのＴ＿ＩＭＳＩおよびＴ＿ＭＳＩＳＤＮを、Ｌ−ＧＷとのＰＤＮ接続を作成するためのメッセージ内で使用することができる。ＨＳＳは、Ｔ＿ＩＭＳＩおよび／またはＴ＿ＭＳＩＳＤＮを格納することができる。格納されたＴ＿ＩＭＳＩおよび／またはＴ＿ＭＳＩＳＤＮは、ＬＨＮ  ＰＤＮ接続が解放された場合に解放されることが可能である。
【０１１４】
無線リンク障害（ＲＬＦ）の後に新たなＨｅＮＢとＬ−ＧＷとの間において接続が復旧されることが可能である。ＷＴＲＵは、Ｌ−ＧＷの相関ＩＤを入手することができ、その相関ＩＤは、接続手順中に、たとえば、Ｌ−ＧＷ＠ＣＮ、Ｌ−ＧＷ＠ＬＮ、および／またはトンネルエンドポイント識別子（ＴＥＩＤ）を含むことができる。これは、ＷＴＲＵがＬ−ＧＷに接続した場合には、たとえば、アタッチ許可メッセージを介して入手されることが可能である。Ｌ−ＧＷの相関ＩＤは、ＷＴＲＵがＬ−ＧＷにおけるＰＤＮ接続をアクティブ化した場合には、ＰＤＮ  接続性要求手順中に、たとえば、ＰＤＮ接続性許可メッセージを介して入手されることも可能である。ＮＡＳシグナリング接続回復手順中に、ＷＴＲＵは、Ｌ−ＧＷの相関ＩＤ（および任意選択でＬ−ＧＷ＠ＣＮ）をサービングｅＮＢに提供することができ、サービングｅＮＢは、コアネットワークを通ることなくＬ−ＧＷへ向かうＳ−ＸＸインターフェースを復旧することができる。
【０１１５】
ＷＴＲＵは、その他のＣＮ  ＰＬＭＮサービスのサポートを伴って使用可能にされているＳＩＰＴＯおよび／またはＬＩＰＡ能力とともにアタッチ要求を介してネットワークに登録したいと望む場合がある。ＷＴＲＵは、ＬＨＮサービスに関心がある場合があるが、おそらくは、コントロールプレーンシグナリングを除いたあらゆるＰＬＭＮサービス（たとえば、ロケーションサービスまたはＭＢＭＳサービス）には関心がない場合がある。ＷＴＲＵは、たとえば「ＬＨＮサービスのみ」を示すタイプ、およびＬＨＮのＬＨＮ−ＩＤとともにアタッチ要求をネットワークに送信することができる。
【０１１６】
ＬＨＮアクセスのためのＷＴＲＵのアタッチ要求は、さまざまな理由でネットワークによって拒否される場合がある。拒否は、ユーザの関連したサブスクリプションによってもたらされる場合があり、または、たとえばローカルセキュリティー問題に起因してＬ−ＧＷがＭＭＥ要求を尊重することができない場合には、ＭＭＥ／Ｌ−ＧＷ対話プロセスにおいて関連付けられることがある。これは、Ｌ−ＧＷがＷＴＲＵまたは特定のＷＴＲＵに対する特定の自律的なオペレーション制約を有することができるシナリオを含むことができる。これは、たとえば、ダウングレードされたアクセス特権レベルを含むことができる。Ｌ−ＧＷ拒否または制約を伴う許可は、結果としてＷＴＲＵ  アタッチ要求に対するＭＭＥ応答（アタッチ拒否（ＡＴＴＡＣＨ  ＲＥＪＥＣＴ）など）につながる場合がある。不成功のＡＴＴＡＣＨ結果は、たとえば、「Ｌ−ＧＷへのアクセスが拒否された」、「Ｌ−ＧＷへのアクセスが期限切れになった」、「Ｌ−ＧＷが一時的に利用不可能である」などを示すことによって、リターンコード内でＷＴＲＵに示されることが可能である。アクセス拒否または期限切れのケースにおいては、ＬＨＮ−Ｉｄが許可済みＬＨＮリストから除去されることを必要とすることができる。Ｌ−ＧＷが利用不可能である場合には、ＷＴＲＵは、設定されている／所定のタイムピリオドにわたって、その同じＬ−ＧＷにアクセスすることを差し控えることができる。
【０１１７】
ＳＩＰＴＯ／ＬＩＰＡに接続されているＷＴＲＵは、最小レベルのサービスインテグリティーを必要とすることができる。進行中であるアクティブなローカルアクセス、たとえばＬＩＰＡサービスがあって、ＷＴＲＵによって開始される接続解除が始動された場合には、その接続解除手順は、（たとえば、タイマーを用いて）その進行中のローカルアクセスが完了するのを待つことを必要とすることができる。タイマーが切れた場合には、ＷＴＲＵのユーザは、アラートされることが可能であり、ローカルアクセスを待つか、またはローカルアクセスを停止して接続解除手順を続けるかをプロンプトされることが可能である。下記の条件のうちの１または複数が当てはまる場合には、ＭＭＥは、ＷＴＲＵを接続解除して再接続することができる。Ｌ−ＧＷが非稼働中であって、ＷＴＲＵがＰＬＭＮサービスおよびＬＩＰＡサービスの両方に接続している場合には、ＭＭＥは、接続解除および再接続を行うことができる。この例においては、ＭＭＥは、Ｌ−ＧＷが回復されるまで、ＰＬＭＮサービスのためにＷＴＲＵをＰ−ＧＷに再接続することができる。代替として、または追加として、ＭＭＥは、Ｌ−ＧＷが回復された場合には、ＷＴＲＵを接続解除してＬ−ＧＷに再接続することができる。
【０１１８】
ネットワークは、接続解除／再接続手順を用いてＳＩＰＴＯおよび／またはＬＩＰＡをトリガーすることができる。ネットワークによってトリガーされる、コアネットワークからＬＨＮおよび／またはＬ−ＧＷへのＳＩＰＴＯまたはＬＩＰＡベアラリロケーションをサポートするために、表示がデタッチ要求メッセージ内に含まれることが可能である。接続解除タイプが、たとえば「再接続必要」である場合には、ネットワークは、「再接続ターゲット」を指定することができる。再接続ターゲットは、現在のセル、セルＩＤ、セルＩＤのグループ、ＬＨＮ  ＩＤ、ＣＳＧ  ＩＤ、および／またはＣＳＧ  ＩＤのグループのうちの１つまたは複数であることが可能である。テーブル５は、再接続ターゲット情報要素を含むデタッチ要求メッセージの例を示している。
【０１１９】
【表５】
2018137759.tif 000008
【０１２０】
ＷＴＲＵが、再接続ターゲットＩＥを含む、再接続必要の接続解除タイプを有するデタッチ要求を受信した場合には、ＷＴＲＵは、再接続ターゲットＩＥ内に示されている１つまたは複数のアイデンティティーを有する（１つまたは複数の）セルを探索することを試みることができる。ＷＴＲＵは、ＷＴＲＵが再接続ターゲットに属するセルを選択した後に、（再）接続手順を実行することができる。
【０１２１】
ＲＡＮシェアリングおよびＥＰＬＭＮサポートが、ＬＨＮとともに提供されることが可能である。一例においては、複数のＬＨＮまたはＬ−ＧＷからのトラフィックおよびシグナリングが、共通のセルを通じて送信または受信されることが可能である。別の例においては、セルが、サポートされているＬＨＮ  ＩＤのリストをブロードキャストすることができる。複数のＬＨＮが情報をブロードキャストしている場合には、さらなるフラグが、たとえば、上述のようにＳＩＢ１内に提供されることが可能である。それらのフラグは、リストの形態であることが可能であり、エントリーの数は、サポートされているＬＨＮの数に一致することができる。たとえば、ＷＴＲＵが、セルを選択してネットワークへの（たとえば、ＲＲＣレベルまたはＮＡＳレベルでの）接続を開始した場合には、ＷＴＲＵは、ネットワークがそのＷＴＲＵをＬＨＮまたはＬ−ＧＷに相関付けるのを補助するために、選択されたＬＨＮ  ＩＤ、またはその他の任意のＬＨＮおよび／もしくはＬ−ＧＷ関連の属性をネットワークに示すことができる。別の例においては、Ｈ（ｅ）ＮＢは、ＬＨＮ  ＩＤをＷＴＲＵコンテキスト情報の一部として格納することができ、この情報を使用して、このＷＴＲＵに関連したシグナリングを適切なＬＨＮまたはＬ−ＧＷへ正しくルーティングすることができる。これは、たとえば、ＲＲＣ接続要求メッセージまたはその他の任意の同等のメッセージの受信時に実行されることが可能である。Ｈ（ｅ）ＮＢは、ＷＴＲＵコンテキスト内に格納されているＬＨＮ情報を使用して、ＷＴＲＵに関するベアラを確立するための正しいＬＨＮまたはＬ−ＧＷを識別することができる。
【０１２２】
別の例においては、ＷＴＲＵは、ＳＩＰＴＯおよび／またはＬＩＰＡ接続を確立したい、または存在するＰＤＮ接続（たとえば、ＳＩＰＴＯ  ＰＤＮ接続）をＬ−ＧＷへ切り替えたいというＷＴＲＵのプリファレンスまたはニーズを示すために、ＬＨＮ  ＩＤまたはその他の任意の属性もしくは関連フラグを使用することができる。これらは、ＷＴＲＵが属しているＬＨＮまたはＬ−ＧＷの検知時に実行されることが可能である。別の例においては、ＷＴＲＵは、ネットワークの構成時に自分のＬＨＮ識別またはその他の任意の関連情報を報告することができる。代替として、または追加として、ＷＴＲＵは、ＬＨＮ識別またはその他の任意の関連情報を自律的に報告することができる。
【０１２３】
別の例においては、ＷＴＲＵは、ＬＨＮメンバーシップおよび／またはＣＳＧメンバーシップを考慮に入れてアクセスコントロールを実行することができる。一例においては、ＷＴＲＵがＣＳＧおよびＬＨＮのメンバーである場合には、そのＷＴＲＵはＷＴＲＵのホワイトリスト内のＣＳＧに関連付けられているこのＬＨＮを有することを意味しており、そのＷＴＲＵはメンバーであり、セルにアクセスすることができる。別の例においては、ＷＴＲＵがＷＴＲＵのホワイトリスト内のＣＳＧ、ＰＬＭＮ（もしくは同等のＰＬＭＮ）、および／またはＬＨＮの関連付けを有している場合には、そのＷＴＲＵはメンバーであることが可能であり、セルにアクセスすることができる。オペレータは、ホワイトリスト内のＰＬＭＮのリストおよび関連付けられているＣＳＧに対するコントロールを有することができる。ホスト当事者は、関連付けられているＬＨＮに対するコントロールを有することができる。ＬＨＮリストは、ＬＨＮまたはＬ−ＧＷ登録手順の一部としてオペレータにアップロードされることが可能である。別の例においては、ＳＩＰＴＯ／ＬＩＰＡへのアクセスは、ＷＴＲＵのホワイトリスト上にあるセルのＣＳＧ  ＩＤ、ブロードキャストされたＬＨＮ  ＩＤのうちの１つもしくは複数、またはブロードキャストされたＰＬＭＮ  ＩＤに基づいて、ＷＴＲＵまたはネットワークにおいてコントロールされることが可能である。
【０１２４】
上述の例は、複数のＬＨＮまたはＬ−ＧＷによるＲＡＮシェアリングまたはフェムトネットワークシェアリングというシナリオのもとで提示されているが、そのようなシナリオのみに限定されるものではなく、本明細書に記載されているその他の任意の例または実施形態に、およびその他の任意のＳＩＰＴＯまたはＬＩＰＡサービスとともに使用するように適用可能である。
【０１２５】
Ｌ−ＧＷ登録および／またはマルチＨ（ｅ）ＮＢ登録が実行されることが可能である。Ｌ−ＧＷが電源投入された際には、そのＬ−ＧＷにとって、Ｌ−ＧＷが特定のＩＰアドレスにおいて現在利用可能であることをＨ（ｅ）ＮＢ−ＧＷに知らせることが必要となる場合がある。Ｌ−ＧＷは、Ｌ−ＧＷのための、および場合によってはＬ−ＧＷに接続されているＨ（ｅ）ＮＢへのサービスおよびコアネットワーク接続をＨＮＢ−ＧＷが提供することを可能にすることが必要となる場合もある。Ｌ−ＧＷは、複数のＨ（ｅ）ＮＢに接続されることが可能であるため、Ｌ−ＧＷは、いくつかの場合においてはＨ（ｅ）ＮＢアグリゲータとして機能することができる。たとえば、Ｌ−ＧＷがシャットダウンして、次いで電源投入された、またはオンにされた場合には、Ｌ−ＧＷの下の個々のＨ（ｅ）ＮＢは、（たとえば、Ｈ（ｅ）ＮＢ−ＧＷを介して）コアネットワークに再登録されることが必要となる場合があり、またはＬ−ＧＷがアグリゲータとして機能して、自分のＨ（ｅ）ＮＢをＨ（ｅ）ＮＢ−ＧＷに登録することもできる。それぞれのＨ（ｅ）ＮＢは、Ｈ（ｅ）ＮＢ−ＧＷとの個々のＩｕｈ接続を保持することができ、またはＬ−ＧＷとＨ（ｅ）ＮＢ−ＧＷとの間においてＩｕｈ集約が生じることも可能である。
【０１２６】
Ｌ−ＧＷ登録手順は、Ｌ−ＧＷが、Ｈ（ｅ）ＮＢ−ＧＷ、またはコアネットワーク内の別のノード、たとえば、ＭＭＥ、Ｓ−ＧＷ、またはＳＧＳＮなどに登録することを可能にすることができる。これは、Ｈ（ｅ）ＮＢ−ＧＷが、ＨＮＢのためのサービスおよびコアネットワーク接続を提供することを可能にすることができる。サポートされ構成されている場合には、これは、Ｈ（ｅ）ＮＢ−ＧＷを介したＩｕｒｈ接続を可能にすることもできる。この手順は、Ｉｕｈ、Ｓｘｘ、またはＳ１シグナリングトランスポートが成功裏に確立された後にトリガーされることが可能であり、任意選択で、確立後にトリガーされる第１の手順とすることができる。Ｉｕｈ、Ｓｘｘ、またはＳ１シグナリングトランスポートに関しては、すべての接続されているＨ（ｅ）ＮＢのサポートにおいてＬ−ＧＷとコアネットワークとの間に１つのシグナリングトランスポートインスタンスが存在することが可能である。別の例においては、任意の所与のＨ（ｅ）ＮＢからＬ−ＧＷへのシグナリングトランスポートベアラと、Ｌ−ＧＷからコアネットワーク（たとえば、Ｈ（ｅ）ＮＢ−ＧＷ）へのシグナリングトランスポートベアラとの間に１対１のマッピングが存在することが可能である。
【０１２７】
図１４は、成功したＬ−ＧＷ登録手順に関する例示的なコールフロー図１４００を示している。Ｌ−ＧＷ１４０５およびＨ（ｅ）ＮＢ−ＧＷ１４１０が示されているが、その他の任意のノードまたは要素がこの手順において使用されることが可能である。Ｌ−ＧＷ１４０５は、Ｌ−ＧＷ登録要求（ＲＥＧＩＳＴＥＲ  ＲＥＱＵＥＳＴ）１４２０をＨ（ｅ）ＮＢ−ＧＷ１４１０へ送信することができる。Ｌ−ＧＷ登録要求１４２０は、Ｌ−ＧＷ１４０５がオペレーションを開始することを必要とする場合、および／または、たとえばＨ（ｅ）ＮＢ−ＧＷ１４１０を介したコアネットワーク（図示せず）からのサービスを必要とする場合に、Ｌ−ＧＷ１４０５によって送信されることが可能である。Ｌ−ＧＷ１４０５は、登録プロセス中に自分のＬＨＮ  ＩＤおよび／またはトランスポートレイヤアドレスを提供することができ、そのＬＨＮ  ＩＤおよび／またはトランスポートレイヤアドレスは、Ｌ−ＧＷ登録要求１４２０内に含まれることが可能である。Ｌ−ＧＷ１４０５は、たとえば、ＳＩＰＴＯおよび／もしくはＬＩＰＡサービスのためのサポートなどの能力、またはＳＩＰＴＯおよび／もしくはＬＩＰＡサービスに関する任意の制約を提供することができる。Ｌ−ＧＷ１４０５は、任意の能力情報をＬ−ＧＷ登録要求１４２０内に含めることができる。
【０１２８】
ＨＮＢ（図示せず）は、接続されているＨ（ｅ）ＮＢのリスト、および／またはＨＮＢ登録要求（ＲＥＧＩＳＴＲＡＴＩＯＮ  ＲＥＱＵＥＳＴ）メッセージ内に含まれているオペレーショナルパラメータを提供することができる。図１４〜図１７に関する例において説明されているように、ＨＮＢ登録要求は、Ｌ−ＧＷ登録要求の代わりに、またはそれに加えて使用されることが可能である。ＨＮＢおよび／またはＬ−ＧＷは、そのＨＮＢおよび／またはＬ−ＧＷ内のＷＴＲＵにサービスを提供するためにコアネットワークおよび／またはＨＮＢ−ＧＷに登録することができる。たとえば、ＨＮＢは、コアネットワーク／ＨＮＢ−ＧＷに直接登録することができ、および／またはＬ−ＧＷは、１つもしくは複数のＨＮＢを登録することができる。したがって、Ｌ−ＧＷは、ＨＮＢ登録要求の任意の特徴を、Ｌ−ＧＷ登録要求、または本明細書に記載されているその他の任意のＬ−ＧＷメッセージ内に含めることができ、その逆もまた同様である。Ｌ−ＧＷ１４０５が、その他のＬ−ＧＷ（図示せず）へのダイレクトインターフェースリロケーションをサポートしている場合には、Ｌ−ＧＷ１４０５は、ダイレクトインターフェースシグナリングトランスポートネットワークレイヤ（ＴＮＬ）アドレスＩＥを、たとえばＬ−ＧＷ登録要求１４２０内で、（Ｈ（ｅ）ＮＢ−ＧＷ１４１０を介して）コアネットワークに提供することができる。
【０１２９】
登録が成功した場合には、コアネットワークは（Ｈ（ｅ）ＮＢ−ＧＷ１４１０を介して）、Ｌ−ＧＷ登録許可（ＲＥＧＩＳＴＥＲ  ＡＣＣＥＰＴ）１４３０メッセージを送信することによって応答することができる。Ｌ−ＧＷ登録許可１４３０メッセージは、受け入れおよび登録を示すことができる。受け入れおよび／または登録は、ＳＩＰＴＯおよび／またはＬＩＰＡサポートに関する構成を含むことができる。接続されているＨ（ｅ）ＮＢのリストが、Ｌ−ＧＷ登録許可１４３０メッセージ（または、たとえばＨＮＢ登録要求メッセージ）内に含まれている場合には、コアネットワークは、接続されているＨ（ｅ）ＮＢのうちのそれぞれに関する登録結果（たとえば、受け入れまたは拒否）をＬ−ＧＷ登録要求１４２０メッセージ内で示すことができる。ダイレクトインターフェースシグナリングＴＮＬアドレスＩＥが、Ｌ−ＧＷ登録許可１４３０メッセージ内に含まれている場合には、Ｌ−ＧＷ１４０５は、サポートされているならば、示されているアドレスへのトランスポートレイヤセッションを確立して、Ｈ（ｅ）ＮＢ−ＧＷ１４１０を介した直接接続をサポートすることができる。Ｈ（ｅ）ＮＢ−ＧＷ１４１０が逆多重化を行うことができる場合には、ＭｕｘＰｏｒｔＮｕｍｂｅｒ  ＩＥが、Ｌ−ＧＷ登録許可１４３０メッセージ内に含まれることが可能である。
【０１３０】
図１４に関連して上述したメッセージは、任意のタイプのメッセージであることが可能であり、それらのメッセージのそれぞれに含まれる情報は、任意のタイプのメッセージ内に含まれることが可能であることを当業者なら認識するであろう。同様に、それらのメッセージは、上述の例において説明されている順序だけでなく、任意の順序で送信されることが可能である。
【０１３１】
図１５は、成功しなかったＬ−ＧＷ登録手順に関する例示的なコールフロー図１５００を示している。Ｌ−ＧＷ１５０５およびＨ（ｅ）ＮＢ−ＧＷ１５１０が示されているが、その他の任意のノードまたは要素がこの手順において使用されることが可能である。Ｌ−ＧＷ１５０５は、Ｌ−ＧＷ登録要求１５２０をＨ（ｅ）ＮＢ−ＧＷ１５１０へ送信することができる。Ｌ−ＧＷ登録要求１５２０は、Ｌ−ＧＷ１５０５がオペレーションを開始することを必要とする場合、および／または、たとえばＨ（ｅ）ＮＢ−ＧＷ１５１０を介したコアネットワーク（図示せず）からのサービスを必要とする場合に、Ｌ−ＧＷ１５０５によって送信されることが可能である。Ｌ−ＧＷ１５０５は、登録プロセス中に自分のＬＨＮ  ＩＤおよび／またはトランスポートレイヤアドレスを提供することができ、そのＬＨＮ  ＩＤおよび／またはトランスポートレイヤアドレスは、Ｌ−ＧＷ登録要求１５２０内に含まれることが可能である。Ｌ−ＧＷ１５０５は、たとえば、ＳＩＰＴＯおよび／もしくはＬＩＰＡサービスのためのサポートなどの能力、またはＳＩＰＴＯおよび／もしくはＬＩＰＡサービスに関する任意の制約を提供することができる。Ｌ−ＧＷ１５０５は、任意の能力情報をＬ−ＧＷ登録要求１５２０内に含めることができる。
【０１３２】
ＨＮＢ（図示せず）は、接続されているＨ（ｅ）ＮＢのリスト、および／またはＨＮＢ登録要求メッセージ内に含まれているオペレーショナルパラメータを提供することができる。Ｌ−ＧＷ１５０５が、その他のＬ−ＧＷ（図示せず）へのダイレクトインターフェースリロケーションをサポートしている場合には、Ｌ−ＧＷ１５０５は、ダイレクトインターフェースシグナリングＴＮＬアドレスＩＥを、たとえばＬ−ＧＷ登録要求１５２０内で、（Ｈ（ｅ）ＮＢ−ＧＷ１５１０を介して）コアネットワークに提供することができる。
【０１３３】
登録が成功しなかった場合には、コアネットワークは（Ｈ（ｅ）ＮＢ−ＧＷ１５１０を介して）、Ｌ−ＧＷ登録拒否（ＲＥＧＩＳＴＥＲ  ＲＥＪＥＣＴ）１５３０メッセージ（またはＨＮＢ登録拒否メッセージ）をＬ−ＧＷ１５０５へ送信することによって応答することができる。成功しなかった登録に関する典型的な原因値は、無線ネットワークレイヤ原因、たとえば、承認されていないロケーション、承認されていない接続されているＨＮＢ、オーバーロード、Ｌ−ＧＷパラメータミスマッチ（たとえば、オペレータと、Ｌ−ＧＷのホスト当事者との間におけるサービスレベルアグリーメントを考慮した能力ミスマッチ）、または未指定の原因などを含むことができる。これらの原因のうちのいずれかが、原因ＩＥとしてＬ−ＧＷ登録拒否１５３０メッセージ内に含まれることが可能である。たとえば、原因ＩＥが「オーバーロード」に設定されている場合には、ＨＮＢは、少なくとも、たとえばバックオフタイマーＩＥによって示される持続時間にわたって、同じＨ（ｅ）ＮＢ−ＧＷ１５１０への登録を再試行することはできない。
【０１３４】
図１５に関連して上述したメッセージは、任意のタイプのメッセージであることが可能であり、それらのメッセージのそれぞれに含まれる情報は、任意のタイプのメッセージ内に含まれることが可能であるということを当業者なら認識するであろう。同様に、それらのメッセージは、上述の例において説明されている順序だけでなく、任意の順序で送信されることが可能である。
【０１３５】
コアネットワークが（たとえば、Ｈ（ｅ）ＮＢ−ＧＷを介して）（たとえば、同じ一意のＬ−ＧＷアイデンティティーまたはＬＨＮアイデンティティーによって識別される既に登録されているＬ−ＧＷに関する）複製Ｌ−ＧＷ登録要求メッセージを受信した場合には、その新たなＬ−ＧＷ登録要求メッセージは、既存の登録をオーバーライドすることができる。新たなＬ−ＧＷ登録要求メッセージの処理は、上述の例に従って実行されることが可能である。
【０１３６】
図１６は、Ｌ−ＧＷにおいて始まるＬ−ＧＷ登録解除手順に関する例示的なコールフロー図１６００を示している。Ｌ−ＧＷ１６０５およびＨ（ｅ）ＮＢ−ＧＷ１６１０が示されているが、その他の任意のノードまたは要素がこの手順において使用されることが可能である。Ｌ−ＧＷ１６０５は、Ｈ（ｅ）ＮＢ−ＧＷ１６１０とのオペレーションを終了することが必要であると判定することができる。Ｌ−ＧＷ１６０５は、Ｈ（ｅ）ＮＢ−ＧＷ１６１０との間で終了を開始する前に、接続されているＨ（ｅ）ＮＢとの接続を任意選択で終了することができる。Ｌ−ＧＷ１６０５は、Ｌ−ＧＷ  ＤＥ−ＲＥＧＩＳＴＥＲ１６２０メッセージをＨ（ｅ）ＮＢ−ＧＷ１６１０へ送信することができる。コアネットワーク（図示せず）が、（Ｈ（ｅ）ＮＢ−ＧＷ１６１０を介して）Ｌ−ＧＷ  ＤＥ−ＲＥＧＩＳＴＥＲ１６２０メッセージを受信した場合には、コアネットワークは、Ｌ−ＧＷ１６０５に関連付けられているすべての関連リソースをクリアすることができる。この登録解除プロセスに関する原因値は、たとえば、通常または未指定などの無線ネットワークレイヤ原因を含むことができる。それらの原因値は、たとえば、Ｌ−ＧＷ  ＤＥ−ＲＥＧＩＳＴＥＲ１６２０メッセージ内に含まれることが可能である。
【０１３７】
図１６に関連して上述したメッセージは、任意のタイプのメッセージであることが可能であり、それらのメッセージのそれぞれに含まれる情報は、任意のタイプのメッセージ内に含まれることが可能であるということを当業者なら認識するであろう。同様に、それらのメッセージは、上述の例において説明されている順序だけでなく、任意の順序で送信されることが可能である。
【０１３８】
図１７は、Ｈ（ｅ）ＮＢ−ＧＷにおいて始まるＬ−ＧＷ登録解除手順に関する例示的なコールフロー図１７００を示している。Ｌ−ＧＷ１７０５およびＨ（ｅ）ＮＢ−ＧＷ１７１０が示されているが、その他の任意のノードまたは要素が、図７〜図１２に示されているような手順において使用されることが可能である。コアネットワーク（図示せず）は（Ｈ（ｅ）ＮＢ−ＧＷ１７１０を介して）、Ｌ−ＧＷ１７０５とのオペレーションを終了することが必要であると判定することができる。コアネットワークは（Ｈ（ｅ）ＮＢ−ＧＷ１７１０を介して）、Ｌ−ＧＷ  ＤＥ−ＲＥＧＩＳＴＥＲ１７２０メッセージをＬ−ＧＷ１７０５へ送信することができる。コアネットワークは、Ｌ−ＧＷ１７０５に関連付けられているすべての関連リソースをクリアすることができる。この登録解除プロセスに関する原因値は、たとえば、オーバーロードまたは未指定の原因などの無線ネットワークレイヤ原因を含むことができる。それらの原因値は、たとえば、Ｌ−ＧＷ  ＤＥ−ＲＥＧＩＳＴＥＲ１７２０メッセージ内のＩＥ内に含まれることが可能である。Ｌ−ＧＷ  ＤＥ−ＲＥＧＩＳＴＥＲ１７２０メッセージ内の原因ＩＥが「オーバーロード」に設定されている場合には、Ｌ−ＧＷは、少なくとも、たとえばバックオフタイマーＩＥによって示される持続時間にわたって、同じＨ（ｅ）ＮＢ−ＧＷ１７１０への登録を再試行することはできない。
【０１３９】
図１７に関連して上述したメッセージは、任意のタイプのメッセージであることが可能であり、それらのメッセージのそれぞれに含まれる情報は、任意のタイプのメッセージ内に含まれることが可能であるということを当業者なら認識するであろう。同様に、それらのメッセージは、上述の例において説明されている順序だけでなく、任意の順序で送信されることが可能である。
【０１４０】
（実施形態）
１．ローカルゲートウェイ（ＬＧＷ）登録手順を実行する方法であって、
ＬＧＷが、オペレーションを開始することを必要とする場合、およびコアネットワーク（ＣＮ）からのサービスを必要とする場合に、ＬＧＷ登録要求メッセージを送信するステップ
を含むことを特徴とする方法。
２．ＬＧＷが、受け入れおよび登録を示すＬＧＷ登録受け入れメッセージを受信するステップ
をさらに含むことを特徴とする実施形態１に記載の方法。
３．ＬＧＷ登録要求メッセージは、接続されているｈｏｍｅ  ｅｖｏｌｖｅｄ  Ｎｏｄｅ−Ｂ（ＨｅＮＢ）のリストを含むことを特徴とする実施形態１に記載の方法。
４．ＬＧＷ登録要求メッセージは、ダイレクトインターフェーストランスポートネットワークレイヤ（ＴＮＬ）アドレス情報要素（ＩＥ）を含むことを特徴とする実施形態１に記載の方法。
５．ＬＧＷが、オペレーションを終了することを必要とする場合に、ＬＧＷ登録解除メッセージを送信するステップ
をさらに含むことを特徴とする実施形態２に記載の方法。
６．ＣＮが、オペレーションを終了することを必要とする場合に、ＬＧＷ登録解除メッセージをＬＧＷへ送信するステップ
をさらに含むことを特徴とする実施形態２に記載の方法。
７．ＬＧＷ登録解除メッセージは、原因情報要素（ＩＥ）を含むことを特徴とする実施形態５〜６のいずれか１つに記載の方法。
８．ＬＧＷが、ＣＮがＬＧＷを登録することができないことを示すＬＧＷ登録拒否メッセージを受信するステップ
をさらに含むことを特徴とする実施形態１に記載の方法。
９．ＬＧＷ登録拒否メッセージは、原因情報要素（ＩＥ）を含むことを特徴とする実施形態８に記載の方法。
１０．ローカルインターネットプロトコル（ＩＰ）アクセス（ＬＩＰＡ）およびセレクティッドＩＰトラフィックオフロード（ＳＩＰＴＯ）サービスにアクセスするための、ワイヤレス送信／受信ユニット（ＷＴＲＵ）によって実施される、方法であって、
ローカルｈｏｍｅ  ｅｖｏｌｖｅｄ  Ｎｏｄｅ−Ｂ（ＨｅＮＢ）ネットワーク（ＬＨＮ）リストを受信するステップと、
ＬＨＮリストを格納するステップと
を含むことを特徴とする方法。
１１．ＬＨＮリストは、複数のＬＨＮアイデンティティーを含むことを特徴とする実施形態１０に記載の方法。
１２．ＬＨＮリストは、許可済みＬＨＮリストおよびオペレータのＬＨＮリストを含むことを特徴とする実施形態１０に記載の方法。
１３．ＬＨＮリストは、汎用加入者識別モジュール（ＵＳＩＭ）内に、または不揮発性メモリ内に格納されることを特徴とする実施形態１０に記載の方法。
１４．ローカルインターネットプロトコル（ＩＰ）アクセス（ＬＩＰＡ）およびセレクティッドＩＰトラフィックオフロード（ＳＩＰＴＯ）サービスにアクセスするための方法であって、
ワイヤレス送信／受信ユニット（ＷＴＲＵ）が、ローカルｈｏｍｅ  ｅｖｏｌｖｅｄ  Ｎｏｄｅ−Ｂ（ＨｅＮＢ）ネットワーク（ＬＨＮ）アイデンティティー、ＬＨＮグループ、アクセスセルタイプ、またはＬＩＰＡおよびＳＩＰＴＯ能力のうちの少なくとも１つをユーザに示すステップと、
ユーザが、ＬＨＮリストからＬＨＮを選択するステップと、
ＷＴＲＵが、ユーザによって選択されたＬＨＮに関連付けられているＬＨＮアイデンティティーを有するセルにキャンプすることを試みるステップと
を含むことを特徴とする方法。
１５．ワイヤレス送信／受信ユニット（ＷＴＲＵ）において使用するための方法であって、
ローカルゲートウェイ（Ｌ−ＧＷ）から第１のＨｏｍｅ  Ｎｏｄｅ  Ｂ（ＨＮＢ）を介してサービスを受信するステップであり、第１のＨＮＢは、ローカルＨＮＢネットワーク（ＬＨＮ）に属している、ステップを含むことを特徴とする方法。
１６．少なくともＬＨＮに関連した情報を含むＬＨＮリストを保持するステップ
をさらに含むことを特徴とする上記実施形態のいずれか１つに記載の方法。
１７．第２のＨＮＢおよびＬＨＮに関連した情報を含むメッセージを受信するステップであって、第２のＨＮＢは、ＬＨＮに属しており、第２のＨＮＢは、Ｌ−ＧＷと通信するように構成されている、ステップ
をさらに含むことを特徴とする上記実施形態のいずれか１つに記載の方法。
１８．少なくともＬＨＮリストおよび受信されたメッセージに基づいて第２のＨＮＢへのハンドオーバを実行するステップ
をさらに含むことを特徴とする上記実施形態のいずれか１つに記載の方法。
１９．Ｌ−ＧＷから第２のＨＮＢを介してサービスを受信するステップ
をさらに含むことを特徴とする上記実施形態のいずれか１つに記載の方法。
２０．サービスは、セレクティッドインターネットプロトコル（ＩＰ）トラフィックオフロード（ＳＩＰＴＯ）サービスであることを特徴とする上記実施形態のいずれか１つに記載の方法。
２１．サービスは、ローカルインターネットプロトコル（ＩＰ）アクセス（ＬＩＰＡ）サービスであることを特徴とする上記実施形態のいずれか１つに記載の方法。
２２．ＬＨＮリストは、ＬＨＮのＬＨＮ  ＩＤを含むことを特徴とする上記実施形態のいずれか１つに記載の方法。
２３．ＬＨＮリストは、ＷＴＲＵがそこからサービスを受信することを好むＬＨＮのリストを含むことを特徴とする上記実施形態のいずれか１つに記載の方法。
２４．ＬＨＮリストは、セレクティッドインターネットプロトコル（ＩＰ）トラフィックオフロード（ＳＩＰＴＯ）サービスを提供することができるＬＨＮのリストを含むことを特徴とする上記実施形態のいずれか１つに記載の方法。
２５．ＬＨＮリストは、ローカルインターネットプロトコル（ＩＰ）アクセス（ＬＩＰＡ）サービスを提供することができるＬＨＮのリストを含むことを特徴とする上記実施形態のいずれか１つに記載の方法。
２６．ＬＨＮリストは、ＷＴＲＵが接続することを好むＬＨＮまたはＨＮＢのうちの少なくとも１つを含むことを特徴とする上記実施形態のいずれか１つに記載の方法。
２７．ＬＨＮリストは、ＷＴＲＵが接続することをネットワークのオペレータが許可しているＬＨＮまたはＨＮＢのうちの少なくとも１つを含むことを特徴とする上記実施形態のいずれか１つに記載の方法。
２８．再接続ターゲットを含む接続解除要求メッセージを受信するステップをさらに含み、再接続ターゲットは、ＷＴＲＵがサービスのために第２のＨＮＢに接続すべきであることを示すことを特徴とする上記実施形態のいずれか１つに記載の方法。
２９．第２のＨＮＢがＬＨＮに属していること、およびＬＨＮがＬＨＮリスト内に含まれていることに基づいてハンドオーバを実行することを決定するステップをさらに含むことを特徴とする上記実施形態のいずれか１つに記載の方法。
３０．クローズドサブスクライバーグループ（ＣＳＧ）またはＨｏｍｅ  Ｎｏｄｅ  Ｂ（ＨＮＢ）リストをさらに含むことを特徴とする上記実施形態のいずれか１つに記載の方法。
３１．実施形態１〜３０のいずれか１つに記載の方法を実行するように構成されていることを特徴とするワイヤレス送信／受信ユニット（ＷＴＲＵ）。
３２．実施形態１〜３０のいずれか１つに記載の方法を実行するように構成されていることを特徴とするｈｏｍｅ  ｎｏｄｅ  Ｂ（ＨＮＢ）。
３３．実施形態１〜３０のいずれか１つに記載の方法を実行するように構成されていることを特徴とするｈｏｍｅ  ｅｖｏｌｖｅｄ  Ｎｏｄｅ  Ｂ（ＨｅＮＢ）。
３４．実施形態１〜３０のいずれか１つに記載の方法を実行するように構成されていることを特徴とするローカルゲートウェイ（Ｌ−ＧＷ）。
３５．実施形態１〜３０のいずれか１つに記載の方法を実行するように構成されていることを特徴とするローカルＨｏｍｅ  Ｎｏｄｅ  Ｂネットワーク（ＬＨＮ）。
３６．実施形態１〜３０のいずれか１つに記載の方法を実行するように構成されていることを特徴とするワイヤレスネットワーク。
３７．実施形態１〜３０のいずれか１つに記載の方法を実行するように構成されていることを特徴とするネットワークノード。
３８．ローカルインターネットプロトコル（ＩＰ）アクセス（ＬＩＰＡ）およびセレクティッドＩＰトラフィックオフロード（ＳＩＰＴＯ）サービスにアクセスするように構成されているワイヤレス送信／受信ユニット（ＷＴＲＵ）であって、
ローカルｈｏｍｅ  ｅｖｏｌｖｅｄ  Ｎｏｄｅ−Ｂ（ＨｅＮＢ）ネットワーク（ＬＨＮ）リストを格納するように構成されている汎用加入者識別モジュール（ＵＳＩＭ）と、
クローズドサブスクライバーグループ（ＣＳＧ）／ＬＨＮのＬＩＰＡおよびＳＩＰＴＯ能力をそのメンバーＷＴＲＵに示すためのＬＩＰＡ−ａｌｌｏｗｅｄ−ｎｏｎｍｅｍｂｅｒフラグおよびＳＩＰＴＯ−ａｌｌｏｗｅｄ  ｎｏｎｍｅｍｂｅｒフラグのうちの少なくとも１つを含むシステム情報ブロック（ＳＩＢ）を受信するように構成されている受信機であり、ＷＴＲＵは、ＬＨＮリストからユーザによって選択されたＬＨＮアイデンティティーを使用してセルにキャンプすることを試みる、受信機と
を含むことを特徴とするＷＴＲＵ。
３９．ローカルゲートウェイ（Ｌ−ＧＷ）から第１のＨｏｍｅ  Ｎｏｄｅ  Ｂ（ＨＮＢ）を介してサービスを受信するように構成されている受信機であり、第１のＨＮＢは、ローカルＨＮＢネットワーク（ＬＨＮ）に属している、受信機と、
少なくともＬＨＮに関連した情報を含むＬＨＮリストを格納するように構成されているメモリとを含み、
受信機は、第２のＨＮＢおよびＬＨＮに関連した情報を含むメッセージを受信するように構成されており、第２のＨＮＢは、ＬＨＮに属しており、第２のＨＮＢは、Ｌ−ＧＷと通信するように構成されている、
ワイヤレス送信／受信ユニット（ＷＴＲＵ）であって、
少なくともＬＨＮリストおよび受信されたメッセージに基づいて第２のＨＮＢへのハンドオーバを実行するように構成されているプロセッサを含み、
受信機は、Ｌ−ＧＷから第２のＨＮＢを介してサービスを受信するように構成されている
ことを特徴とするワイヤレス送信／受信ユニット（ＷＴＲＵ）。
４０．ワイヤレス送信／受信ユニット（ＷＴＲＵ）において使用するための方法であって、
ＬＨＮを識別するローカルＨｏｍｅ  Ｎｏｄｅ  Ｂネットワーク（ＬＨＮ）ＩＤ、および
ＬＨＮがＬＩＰＡサービスをサポートしているかどうかを示すローカルインターネットプロトコル（ＩＰ）アクセス（ＬＩＰＡ）表示
を含むメッセージを受信するステップと、
ＬＨＮ  ＩＤが、ＷＴＲＵ内に格納されている許可済みＬＨＮのリスト内に含まれており、ＬＩＰＡ表示が、ＬＨＮがＬＩＰＡサービスをサポートしていることを示しているという条件で、ＬＨＮに属しているセルへの選択を行うステップと、
ＬＩＰＡサービスを含むサービスをセルから受信するステップと
を含むことを特徴とする方法。
【０１４１】
上記では特徴および要素が特定の組合せで説明されているが、それぞれの特徴または要素は、単独で、またはその他の特徴および要素のうちの任意のものとの組合せで使用されることが可能であるということを当技術分野における標準的な技術者なら理解するであろう。加えて、本明細書に記載されている実施形態は、コンピュータまたはプロセッサによって実行するためにコンピュータ可読メディア内に組み込まれているコンピュータプログラム、ソフトウェア、またはファームウェアで実装されることが可能である。コンピュータ可読メディアの例は、（有線接続またはワイヤレス接続を介して伝送される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、磁気メディア（たとえば、内蔵ハードディスクまたは取り外し可能ディスク）、光磁気メディア、および、コンパクトディスク（ＣＤ）またはデジタル多用途ディスク（ＤＶＤ）などの光学メディアを含むが、それらには限定されない。ソフトウェアと関連付けられているプロセッサは、ＷＴＲＵ、ＵＥ、端末、基地局、Ｎｏｄｅ−Ｂ、ｅＮＢ、ＨＮＢ、ＨｅＮＢ、ＡＰ、ＲＮＣ、ワイヤレスルータ、または任意のホストコンピュータにおいて使用するための無線周波数トランシーバを実装するために使用されることが可能である。ＷＴＲＵおよび／またはユーザに関して例が記載されているが、ＷＴＲＵまたはユーザのいずれかが、それらの例に記載されている特徴または要素を実行することができるということを当技術分野における標準的な技術者なら理解するであろう。
【図１Ａ】
2018137759.tif 000009
【図１Ｂ】
2018137759.tif 000010
【図１Ｃ】
2018137759.tif 000011
【図２】
2018137759.tif 000012
【図３】
2018137759.tif 000013
【図４】
2018137759.tif 000014
【図５】
2018137759.tif 000015
【図６】
2018137759.tif 000016
【図７】
2018137759.tif 000017
【図８】
2018137759.tif 000018
【図９】
2018137759.tif 000019
【図１０】
2018137759.tif 000020
【図１１】
2018137759.tif 000021
【図１２】
2018137759.tif 000022
【図１３】
2018137759.tif 000023
【図１４】
2018137759.tif 000024
【図１５】
2018137759.tif 000025
【図１６】
2018137759.tif 000026
【図１７】
2018137759.tif 000027
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）における使用のための方法であって、
ローカルホームノードＢ（ＨＮＢ）ネットワーク（ＬＨＮ）に属する第１の基地局（ＢＳ）を介してローカルゲートウェイ（Ｌ−ＧＷ）からサービスを受信するステップと、
（１）少なくとも前記ＬＨＮに関連する情報を含むＬＨＮリスト、および、（２）許可されたクローズドサブスクライバーグループ（ＣＳＧ）識別子（ＩＤ）のリストを保持するステップと、
前記ＬＨＮに関連する情報、および、第２のＢＳが前記第１のＢＳが関連付けられたサービス継続性エリア（ＳＣＡ）に関連付けられるかどうかを示している情報のいずれかを受信するステップと、
前記ＬＨＮリストおよび前記受信された情報に少なくとも基づいて前記第２のＢＳへのハンドオーバを実行するステップと、
前記第２のＢＳを介して前記Ｌ−ＧＷから前記サービスを受信するステップと
を備えたことを特徴とする方法。
【請求項２】
前記ＳＣＡは、セルＩＤのリスト、ＣＳＧ  ＩＤのリスト、トラッキングエリアＩＤ（ＴＡＩ）のリスト、および公衆陸上移動ネットワーク（ＰＬＭＮ）ＩＤのリストのいずれかに基づいて示されることを特徴とする請求項１に記載の方法。
【請求項３】
前記ＳＣＡは、システム情報ブロードキャスト（ＳＩＢ）メッセージ、無線リソース制御（ＲＲＣ）メッセージ、およびネットワークアクセス層（ＮＡＳ）メッセージのいずれかによって示されることを特徴とする請求項１に記載の方法。
【請求項４】
前記サービスは、セレクティッドインターネットプロトコル（ＩＰ）トラフィックオフロード（ＳＩＰＴＯ）サービスを含むことを特徴とする請求項１に記載の方法。
【請求項５】
前記サービスは、ローカルインターネットプロトコル（ＩＰ）アクセス（ＬＩＰＡ）サービスを含むことを特徴とする請求項１に記載の方法。
【請求項６】
前記ＬＨＮリストは、前記ＬＨＮのＬＨＮ  ＩＤを含むことを特徴とする請求項１に記載の方法。
【請求項７】
前記ＬＨＮリストは、前記ＷＴＲＵがそこから前記サービスを受信することを好むＬＨＮに関連する情報を含むことを特徴とする請求項１に記載の方法。
【請求項８】
前記ＬＨＮリストは、セレクティッドインターネットプロトコル（ＩＰ）トラフィックオフロード（ＳＩＰＴＯ）サービスを提供することができるＬＨＮに関連する情報を含むことを特徴とする請求項１に記載の方法。
【請求項９】
前記ＬＨＮリストは、ローカルインターネットプロトコル（ＩＰ）アクセス（ＬＩＰＡ）サービスを提供することができるＬＨＮに関連する情報を含むことを特徴とする請求項１に記載の方法。
【請求項１０】
前記ＬＨＮリストは、前記ＷＴＲＵがアクセスすることを許可される少なくとも１つのＬＨＮに関連する情報を含むことを特徴とする請求項１に記載の方法。
【請求項１１】
前記ＷＴＲＵがアクセスすることを許可される前記少なくとも１つのＬＨＮは、ネットワークのオペレータによって決定されることを特徴とする請求項１０に記載の方法。
【請求項１２】
前記ＬＨＮリストは、前記ＷＴＲＵまたは前記ＷＴＲＵのユーザがアタッチメントに対して承認したＬＨＮまたはＢＳの少なくとも１つに関連する情報を含むことを特徴とする請求項１に記載の方法。
【請求項１３】
再接続ターゲットを含むデタッチ要求メッセージを受信するステップをさらに備え、前記再接続ターゲットは、前記ＷＴＲＵが前記Ｌ−ＧＷから受信された前記サービスに対して前記第２のＢＳに接続すべきであることを示していることを特徴とする請求項１に記載の方法。
【請求項１４】
前記ハンドオーバを実行するステップは、前記第２のＢＳが前記ＬＨＮに属すると決定するステップをさらに含むことを特徴とする請求項１に記載の方法。
【請求項１５】
前記第２のＢＳが前記ＬＨＮに属すると決定する前記ステップは、前記ＬＨＮに関連する情報が前記ＬＨＮリストに含まれることを決定するステップを含むことを特徴とする請求項１４に記載の方法。
【請求項１６】
前記ハンドオーバを実行する前に、前記第１のＢＳから受信された前記サービスを停止するステップをさらに備えたことを特徴とする請求項１に記載の方法。
【請求項１７】
前記ハンドオーバを実行するステップは、前記第２のＢＳに関連する情報がＢＳに関連する情報の前記リストに含まれるというさらなる条件で実行されることを特徴とする請求項１６に記載の方法。
【請求項１８】
ローカルホームノードＢ（ＨＮＢ）ネットワーク（ＬＨＮ）に属する第１の基地局（ＢＳ）を介してローカルゲートウェイ（Ｌ−ＧＷ）からサービスを受信するように構成された受信機と、
（１）少なくとも前記ＬＨＮに関連する情報を含むＬＨＮリスト、および、（２）許可されたクローズドサブスクライバーグループ（ＣＳＧ）識別子（ＩＤ）のリストを記憶するように構成されたメモリと、
前記ＬＨＮに関連する情報、および、第２のＢＳが前記第１のＢＳが関連付けられたサービス継続性エリア（ＳＣＡ）に関連付けられるかどうかを示している情報のいずれかを受信するように構成された前記受信機と、
前記ＬＨＮリストおよび前記受信された情報に少なくとも基づいて前記第２のＢＳへのハンドオーバを実行するように構成されたプロセッサと、
前記第２のＢＳを介して前記Ｌ−ＧＷから前記サービスを受信するように構成された前記受信機と
を備えたことを特徴とする無線送信／受信ユニット（ＷＴＲＵ）。
【請求項１９】
無線送信／受信ユニット（ＷＴＲＵ）における使用のための方法であって、
（１）少なくともローカルホームノードＢ（ＨＮＢ）ネットワーク（ＬＨＮ）に関連する情報を含むＬＨＮリスト、および、（２）許可されたクローズドサブスクライバーグループ（ＣＳＧ）識別子（ＩＤ）のリストを保持するステップと、
（１）ＬＨＮを識別するＬＨＮ  ＩＤ、（２）前記ＬＨＮが、ローカルインターネットプロトコル（ＩＰ）アクセス（ＬＩＰＡ）サービスをサポートするかどうかを示すＬＩＰＡインジケーション、および、（３）セルが、前記ＷＴＲＵが関連付けられたサービス継続性エリア（ＳＣＡ）に関連付けられるかどうかを示すＳＣＡインジケーションのいずれかに関する情報を受信するステップと、
（１）前記ＬＨＮ  ＩＤが、前記ＷＴＲＵに記憶された、許可されたＬＨＮのリストに含まれること、（２）前記ＬＩＰＡインジケーションが、前記ＬＨＮはＬＩＰＡサービスをサポートすることを示すこと、および、（３）前記セルが、前記ＷＴＲＵが関連付けられたＳＣＡに関連付けられることのいずれかを含んでいる条件で、前記ＬＨＮに属するセルを選択するステップと、
前記セルからサービスを受信するステップと
を備えたことを特徴とする方法。
【請求項２０】
前記ＳＣＡは、セルＩＤのリスト、ＣＳＧ  ＩＤのリスト、トラッキングエリアＩＤ（ＴＡＩ）のリスト、および公衆陸上移動ネットワーク（ＰＬＭＮ）ＩＤのリストのいずれかに基づいて示され、ならびに、
前記ＳＣＡは、システム情報ブロードキャスト（ＳＩＢ）メッセージ、無線リソース制御（ＲＲＣ）メッセージ、およびネットワークアクセス層（ＮＡＳ）メッセージのいずれかによって示される
ことを特徴とする請求項１９に記載の方法。